(57)【特許請求の範囲】
【請求項１】
無線通信システムにおける端末により遂行されるアップリンク制御情報（ＵＣＩ）伝送方法であって、
第１組合せのＡＣＫ／ＮＡＣＫとチャンネル品質指示子（ＣＱＩ）とを同時に伝送するか否かを指示する第１パラメータ及び第２組合せのＡＣＫ／ＮＡＣＫと前記ＣＱＩとを多重化し、該多重化されたＡＣＫ／ＮＡＣＫとＣＱＩを第２のＰＵＣＣＨフォーマットで伝送するか否かを指示する第２パラメータを受信するステップと、
前記第１組合せのＡＣＫ／ＮＡＣＫまたは前記第２組合せのＡＣＫ／ＮＡＣＫを前記ＣＱＩと多重化し、第１のＰＵＣＣＨフォーマットまたは前記第２のＰＵＣＣＨフォーマットを通じて伝送するステップと、
を有し、
前記第１パラメータがＴＲＵＥに設定され、前記第１組合せのＡＣＫ／ＮＡＣＫが、ダウンリンクＳＰＳ解除を指示し、１のダウンリンク割当インデックス（ＤＡＩ）値を有するＰＤＣＣＨに対応する場合、前記第１組合せのＡＣＫ／ＮＡＣＫと前記ＣＱＩは、前記第１のＰＵＣＣＨフォーマットを通して伝送され、
前記第２パラメータがＴＲＵＥに設定され、１つのＰＵＣＣＨ資源が上位階層信号により設定される４個の資源の中から決定され、前記第２組合せのＡＣＫ／ＮＡＣＫと前記ＣＱＩに対応するビットの総数が２２より大きくない場合、前記第２組合せのＡＣＫ／ＮＡＣＫと前記ＣＱＩは、前記第２のＰＵＣＣＨフォーマットを通して伝送されることを特徴とする、方法。
【請求項２】
前記第１パラメータ及び前記第２パラメータは、ＲＲＣメッセージを通じて受信され、真（ＴＲＵＥ）または偽（ＦＡＬＳＥ）の値を有する、請求項１に記載の方法。
【請求項３】
前記第１のＰＵＣＣＨフォーマットを通じて、１ビットまたは２ビットのＡＣＫ／ＮＡＣＫ情報が伝送される、請求項１に記載の方法。
【請求項４】
前記第２パラメータは、前記第２組合せのＡＣＫ／ＮＡＣＫが前記第２のＰＵＣＣＨフォーマットで伝送されるように予め設定された場合のみにＲＲＣメッセージに含まれる、請求項１に記載の方法。
【請求項５】
前記無線通信システムがＦＤＤシステムの場合、前記第１組合せのＡＣＫ／ＮＡＣＫは１つのＰＤＳＣＨが前記端末が基地局との最初連結確立過程または連結再確立過程を遂行するプライマリセルのみに存在し、ＰＤＣＣＨ無しで半静的にスケジューリングされた場合、または１つのＰＤＳＣＨがプライマリセルのみに存在し、ＰＤＣＣＨによりスケジューリングされた場合、または１つのＰＤＣＣＨがプライマリセルのみに存在し、ＡＣＫ／ＮＡＣＫ応答を必要とする場合に対するＡＣＫ／ＮＡＣＫであり、前記第２組合せのＡＣＫ／ＮＡＣＫはその以外のＡＣＫ／ＮＡＣＫ組合せである、請求項１に記載の方法。
【請求項６】
前記無線通信システムがＴＤＤシステムの場合、前記第１組合せのＡ／Ｎは、
ｉ）ＰＤＣＣＨ無しで半静的にスケジューリングされたＰＤＳＣＨが前記端末が基地局との最初連結確立過程または連結再確立過程を遂行するプライマリセルのみに１つ存在し、ＡＣＫ／ＮＡＣＫ応答を要求するＰＤＣＣＨがない場合、または
ｉｉ）ダウンリンク割当インデックス（ＤＡＩ）が１であるＰＤＣＣＨによりスケジューリングされたＰＤＳＣＨが前記プライマリセルのみに１つ存在する場合、または
ｉｉｉ）ＡＣＫ／ＮＡＣＫ応答を要求するダウンリンク割当インデックスが１であるＰＤＣＣＨが１つ存在し、ＰＤＳＣＨがない場合のＡＣＫ／ＮＡＣＫであり、
前記第２組合せのＡＣＫ／ＮＡＣＫは、前記ｉ）、ｉｉ）、ｉｉｉ）、及びｉｖ）ＡＣＫ／ＮＡＣＫ応答を要求するダウンリンク割当インデックスが１であるＰＤＣＣＨが存在するか、またはダウンリンク割当インデックスが１であるＰＤＣＣＨでスケジューリングされたＰＤＳＣＨが前記プライマリセルのみに１つ存在し、ＰＤＣＣＨ無しで半静的にスケジューリングされたＰＤＳＣＨが１つある時を除外した場合のＡＣＫ／ＮＡＣＫ組合せである、請求項１に記載の方法。
【請求項７】
前記第１組合せのＡＣＫ／ＮＡＣＫは、ＲＲＣメッセージにより予め設定された４個の資源のうち、１つの資源を指示するＰＤＣＣＨの特定フィールドを受信できなかった場合に対するＡＣＫ／ＮＡＣＫ組合せであり、
前記第２組合せのＡＣＫ／ＮＡＣＫは前記特定フィールドを受信した場合に対するＡＣＫ／ＮＡＣＫ組合せである、請求項１に記載の方法。
【請求項８】
前記ＣＱＩは周期的に伝送されるように設定される、請求項１に記載の方法。
【請求項９】
前記第１パラメータは前記第１組合せのＡＣＫ／ＮＡＣＫ及び前記ＣＱＩの同時伝送を許容することを指示し、前記第２パラメータは前記第２組合せのＡＣＫ／ＮＡＣＫ及び前記ＣＱＩを多重化して前記第２のＰＵＣＣＨフォーマットで伝送することを指示しない場合、
前記ＣＱＩはドロップされ、前記第２のＰＵＣＣＨフォーマットを通じて前記第２組合せのＡＣＫ／ＮＡＣＫのみ伝送される、請求項１に記載の方法。
【請求項１０】
無線信号を送受信するＲＦ部、及び
前記ＲＦ部と連結されるプロセッサを含み、
前記プロセッサは第１組合せのＡＣＫ／ＮＡＣＫとチャンネル品質指示子（ＣＱＩ）とを同時に伝送するか否かを指示する第１パラメータ及び第２組合せのＡＣＫ／ＮＡＣＫと前記ＣＱＩとを多重化し、該多重化されたＡＣＫ／ＮＡＣＫとＣＱＩを第２のＰＵＣＣＨフォーマットで伝送するか否かを指示する第２パラメータを受信し、及び
前記第１組合せのＡＣＫ／ＮＡＣＫまたは前記第２組合せのＡＣＫ／ＮＡＣＫを前記ＣＱＩと多重化し、第１のＰＵＣＣＨフォーマットまたは前記第２のＰＵＣＣＨフォーマットを通じて伝送し、
前記第１パラメータがＴＲＵＥに設定され、前記第１組合せのＡＣＫ／ＮＡＣＫが、ダウンリンクＳＰＳ解除を指示し、１のダウンリンク割当インデックス（ＤＡＩ）値を有するＰＤＣＣＨに対応する場合、前記第１組合せのＡＣＫ／ＮＡＣＫと前記ＣＱＩは、前記第１のＰＵＣＣＨフォーマットを通して伝送され、
前記第２パラメータがＴＲＵＥに設定され、１つのＰＵＣＣＨ資源が上位階層信号により設定される４個の資源の中から決定され、前記第２組合せのＡＣＫ／ＮＡＣＫと前記ＣＱＩに対応するビットの総数が２２より大きくない場合、前記第２組合せのＡＣＫ／ＮＡＣＫと前記ＣＱＩは、前記第２のＰＵＣＣＨフォーマットを通して伝送される、端末。
【発明の詳細な説明】
【技術分野】
【０００１】
本発明は無線通信に関し、より詳しくは、無線通信システムにおけるアップリンク制御情報転送方法及び装置に関する。
【背景技術】
【０００２】
広帯域無線通信システムの場合、限定された無線資源の効率性を極大化するために効果的な送受信技法及び活用方案が提案されてきた。次世代の無線通信システムで考慮されているシステムのうちの１つが低い複雑度でシンボル間干渉（ＩＳＩ：Inter-Symbol Interference）効果を減殺させることができる直交周波数分割多重（ＯＦＤＭ：Orthogonal Frequency Division Multiplexing）システムである。ＯＦＤＭは直列に入力されるデータシンボルをＮ個の並列データシンボルに変換して、各々分離されたＮ個の副搬送波（subcarrier）に乗せて転送する。副搬送波は、周波数次元で直交性を維持するようにする。各々の直交チャンネルは相互独立的な周波数選択的フェージング（frequency selective fading）を経験するようになり、これによって受信端での複雑度が減少し、転送されるシンボルの間隔が長くなって、シンボル間干渉が最小化できる。
【０００３】
直交周波数分割多重接続（Orthogonal Frequency Division Multiple Access：以下ＯＦＤＭＡ）は、ＯＦＤＭを変調方式に使用するシステムにおいて、利用可能な副搬送波の一部を各ユーザに独立的に提供して多重接続を実現する多重接続方法をいう。ＯＦＤＭＡは副搬送波という周波数資源を各ユーザに提供し、各々の周波数資源は多数のユーザに独立的に提供されて互いに重畳しないことが一般的である。結局、周波数資源はユーザ毎に相互排他的に割り当てられる。ＯＦＤＭＡシステムにおいて周波数選択的スケジューリング（frequency selective scheduling）を通じて多重ユーザに対する周波数ダイバーシティ（frequency diversity）を得ることができ、副搬送波に対する順列（permutation）方式によって副搬送波を多様な形態に割り当てることができる。そして、多重アンテナ（multiple antenna）を用いた空間多重化技法により空間領域の効率性を高めることができる。
【０００４】
ＭＩＭＯ（Multiple-Input Multiple-Output）技術は、多重送信アンテナ及び多重受信アンテナを使用してデータの送受信効率を向上させる。ＭＩＭＯシステムにおいて、ダイバーシティを具現するための技法にはＳＦＢＣ（Space Frequency Block Code）、ＳＴＢＣ（Space Time Block Code）、ＣＤＤ（Cyclic Delay Diversity）、ＦＳＴＤ（frequency switched transmit diversity）、ＴＳＴＤ（time switched transmit diversity）、ＰＶＳ（Precoding Vector Switching）、空間多重化（ＳＭ：Spatial Multiplexing）などがある。受信アンテナ数と送信アンテナ数に従うＭＩＭＯチャンネル行列は多数の独立チャンネルに分解できる。各々の独立チャンネルはレイヤ（layer）またはストリーム（stream）という。レイヤの個数はランク（rank）という。
【０００５】
アップリンク制御チャンネル（ＰＵＣＣＨ：Physical Uplink Control Channel）を介してアップリンク制御情報（ＵＣＩ：Uplink Control Information）が転送できる。アップリンク制御情報は、スケジューリング要請（ＳＲ：Scheduling Request）、ＨＡＲＱ（Hybrid ARQ）のためのＡＣＫ／ＮＡＣＫ（Acknowledgement/Non-Acknowledgement）信号、ＣＱＩ（Channel Quality Indicator）、ＰＭＩ（Precoding Matrix Indicator）、ＲＩ（Rank Indicator）などの多様な種類の情報を含むことができる。ＰＵＣＣＨは、フォーマット（format）に従って多様な種類の制御情報を運ぶ。
【０００６】
最近、搬送波集成システム（carrier aggregation system）が注目されている。搬送波集成システムは、無線通信システムが広帯域をサポートしようとする時、目標とする広帯域より小さい帯域幅を有する１つ以上の搬送波を集めて広帯域を構成するシステムを意味する。
【０００７】
搬送波集成システムにおいて、多様な種類のアップリンク制御情報を効率的で、かつ信頼性あるように転送するための方法が必要である。
【発明の概要】
【発明が解決しようとする課題】
【０００８】
本発明の技術的課題は、無線通信システムにおけるアップリンク制御情報転送方法及び装置を提供することにある。
【課題を解決するための手段】
【０００９】
一態様によると、無線通信システムにおいて、端末により遂行されるアップリンク制御情報（Uplink Control Information：ＵＣＩ）転送方法を提供する。上記方法は第１組合せのＡＣＫ／ＮＡＣＫ（acknowledgement/non-acknowledgement）とチャンネル品質指示子（channel quality indicator：ＣＱＩ）との同時転送か否かを指示する第１パラメータ、及び第２組合せのＡＣＫ／ＮＡＣＫと上記ＣＱＩとを多重化して第２のＰＵＣＣＨ（physical uplink control channel）フォーマットで転送するか否かを指示する第２パラメータを受信し、及び上記第１パラメータ及び上記第２パラメータに基づいて上記第１組合せのＡＣＫ／ＮＡＣＫまたは上記第２組合せのＡＣＫ／ＮＡＣＫを上記ＣＱＩと多重化して第１のＰＵＣＣＨフォーマットまたは上記第２のＰＵＣＣＨフォーマットを通じて転送することを特徴とする。
【００１０】
他の態様によると、提供される端末は無線信号を転送または受信するＲＦ（Radio Frequency）部、及び上記ＲＦ部と連結されるプロセッサを含み、かつ上記プロセッサは第１組合せのＡＣＫ／ＮＡＣＫ（acknowledgement/non-acknowledgement）とチャンネル品質指示子（channel quality indicator：ＣＱＩ）との同時転送か否かを指示する第１パラメータ、及び第２組合せのＡＣＫ／ＮＡＣＫと上記ＣＱＩとを多重化して第２のＰＵＣＣＨ（physical uplink control channel）フォーマットで転送するか否かを指示する第２パラメータを受信し、及び上記第１パラメータ及び上記第２パラメータに基づいて上記第１組合せのＡＣＫ／ＮＡＣＫまたは上記第２組合せのＡＣＫ／ＮＡＣＫを上記ＣＱＩと多重化して第１のＰＵＣＣＨフォーマットまたは上記第２のＰＵＣＣＨフォーマットを通じて転送することを特徴とする。
【発明の効果】
【００１１】
互いに異なる種類のアップリンク制御情報（ＵＣＩ：Uplink Control Information）を同一サブフレーム（subframe）で転送する必要がある時、効率的に多重化して転送することができる。
【図面の簡単な説明】
【００１２】
【図１】３ＧＰＰ ＬＴＥにおける無線フレーム（radio frame）の構造を示す。
【図２】１つのダウンリンクスロットに対する資源グリッド（resource grid）の一例を示す。
【図３】ダウンリンクサブフレームの構造を示す。
【図４】アップリンクサブフレームの構造を示す。
【図５】単一搬送波システムと搬送波集成システムとの比較例である。
【図６】ノーマルＣＰで１つのスロットに対するＰＵＣＣＨフォーマット２／２ａ／２ｂのチャンネル構造を示す。
【図７】ノーマルＣＰでの１つのスロットに対するＰＵＣＣＨフォーマット１ａ／１ｂを示す。
【図８】ノーマルＣＰ、ＰＵＣＣＨフォーマット２ａ／２ｂでＡＣＫ／ＮＡＣＫの星状マッピングの例を示す。
【図９】拡張ＣＰでＡＣＫ／ＮＡＣＫとＣＱＩとのジョイントコーディングの例を示す。
【図１０】ＡＣＫ／ＮＡＣＫとＳＲとが多重化される方法を示す。
【図１１】ＡＣＫ／ＮＡＣＫとＳＲとが同時転送される場合、星状マッピングを示す。
【図１２】チャンネルコーディングされたビットがコード−時間−周波数資源にマッピングされる例を示す。
【図１３】ＰＵＣＣＨフォーマット３のチャンネル構造を例示する。
【図１４】二重ＲＭコーディング過程を例示する。
【図１５】Ａ／Ｎのみ転送時にバンドリングを適用するか否かに対する基準値決定の例である。
【図１６】Ｐ１及びＰ２の設定に従う端末の動作を示す。
【図１７】本発明の一実施形態に従う端末の動作方法を示す。
【図１８】端末が３個のＲＲＣパラメータによってＵＣＩを転送する場合を示す。
【図１９】本発明の実施形態が具現される基地局及び端末を示すブロック図である。
【発明を実施するための形態】
【００１３】
以下の技術は、ＣＤＭＡ（Code Division Multiple Access）、ＦＤＭＡ（Frequency Division Multiple Access）、ＴＤＭＡ（Time Division Multiple Access）、ＯＦＤＭＡ（Orthogonal Frequency Division Multiple Access）、ＳＣ−ＦＤＭＡ（Single Carrier Frequency Division Multiple Access）などのような多様な無線通信システムに使用できる。ＣＤＭＡは、ＵＴＲＡ（Universal Terrestrial Radio Access）やＣＤＭＡ２０００のような無線技術（radio technology）で具現できる。ＴＤＭＡは、ＧＳＭ（Global System for Mobile communications）／ＧＰＲＳ（General Packet Radio Service）／ＥＤＧＥ（Enhanced Data Rates for GSM Evolution）のような無線技術で具現できる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Evolved UTRA）などの無線技術で具現できる。ＩＥＥＥ ８０２．１６ｍは、ＩＥＥＥ ８０２．１６eの進化で、ＩＥＥＥ ８０２．１６ｅに基盤したシステムとの下位互換性（backward compatibility）を提供する。ＵＴＲＡは、ＵＭＴＳ（Universal Mobile Telecommunications System）の一部である。３ＧＰＰ（3rd Generation Partnership Project）ＬＴＥ（Long Term Evolution）は、Ｅ−ＵＴＲＡ（Evolved-UMTS Terrestrial Radio Access）を使用するＥ−ＵＭＴＳ（Evolved UMTS）の一部であって、ダウンリンクでＯＦＤＭＡを採用し、アップリンクでＳＣ−ＦＤＭＡを採用する。ＬＴＥ−Ａ（Advanced）は、３ＧＰＰ ＬＴＥの進化である。説明を明確にするために、ＬＴＥ／ＬＴＥ−Ａを中心に記述するが、本発明の技術的思想がこれに制限されるものではない。
【００１４】
無線通信システムは、少なくとも１つの基地局（Base Station：ＢＳ）を含む。各基地局は、特定の地理的領域に対して通信サービスを提供する。端末（User Equipment：ＵＥ）は固定されるか、または移動性を有することができ、ＭＳ（Mobile Station）、ＭＴ（Mobile Terminal）、ＵＴ（User Terminal）、ＳＳ（Subscriber Station）、無線機器（wireless device）、ＰＤＡ（Personal Digital Assistant）、無線モデム（wireless modem）、携帯機器（handheld device）など、他の用語と呼ばれることができる。基地局は、一般的に端末と通信する固定された地点（fixed station）をいい、ｅＮＢ（evolved-NodeB）、ＢＴＳ（Base Transceiver System）、アクセスポイント（Access Point）など、他の用語と呼ばれることができる。
【００１５】
端末は、通常的に１つのセルに属するが、端末が属したセルをサービングセル（serving cell）という。サービングセルに対して通信サービスを提供する基地局をサービング基地局（serving BS）という。サービング基地局は１つまたは複数のサービングセルを提供することができる。
【００１６】
この技術はダウンリンク（downlink）またはアップリンク（uplink）に使用できる。一般的に、ダウンリンクは基地局から端末への通信を意味し、アップリンクは端末から基地局への通信を意味する。
【００１７】
端末と基地局との間の無線インターフェースプロトコル（radio interface protocol）の階層は通信システムで広く知られた開放型システム間の相互接続（Open System Interconnection：ＯＳＩ）モデルの下位３個階層に基づいてＬ１（第１階層）、Ｌ２（第２階層）、及びＬ３（第３階層）に区分できる。
【００１８】
第１階層である物理階層（Physical Layer）は、上位にある媒体連結制御（Medium Access Control：ＭＡＣ）階層とは転送チャンネル（transport channel）を介して連結されており、この転送チャンネルを介してＭＡＣと物理階層との間のデータが移動する。そして、互いに異なる物理階層間、即ち転送側と受信側の物理階層の間は物理チャンネル（Physical Channel）を介してデータが移動する。
【００１９】
第２階層である無線データリンク階層は、ＭＡＣ階層、ＲＬＣ階層、及びＰＤＣＰ階層から構成される。ＭＡＣ階層は、論理チャンネルと転送チャンネルとの間のマッピングを担当する階層であって、ＲＬＣ階層から伝達されたデータを転送するために適切な転送チャンネルを選択し、必要な制御情報をＭＡＣ ＰＤＵ（Protocol Data Unit）のヘッダ（header）に追加する。
【００２０】
ＲＬＣ階層は、ＭＡＣの上位に位置してデータの信頼性ある転送をサポートする。また、ＲＬＣ階層は無線区間に合う適切なサイズのデータを構成するために上位階層から伝達されたＲＬＣ ＳＤＵ（Service Data Unit）を分割（Segmentation）し、連結（Concatenation）する。受信機のＲＬＣ階層は、受信したＲＬＣ ＰＤＵから元のＲＬＣ ＳＤＵを復旧するためにデータの再結合（Reassemble）機能をサポートする。
【００２１】
ＰＤＣＰ階層はパケット交換領域のみで使われ、無線チャンネルでパケットデータの転送効率を高めることができるようにＩＰパケットのヘッダを圧縮して転送することができる。
【００２２】
第３階層であるＲＲＣ階層は、下位階層を制御する役割と共に、端末とネットワークとの間で無線資源制御情報を交換する。端末の通信状態によって休止モード（Idle Mode）、ＲＲＣ連結モード（Connected Mode）など、多様なＲＲＣ状態が定義され、必要によってＲＲＣ状態間の転移が可能である。ＲＲＣ階層では、システム情報放送、ＲＲＣ接続管理手続、多重要素搬送波設定手続、無線ベアラー（Radio Bearer）制御手続、保安手続、測定手続、移動性管理手続（ハンドオーバー）など、無線資源管理と関連した多様な手続が定義される。
【００２３】
無線通信システムは、ＭＩＭＯ（Multiple-Input Multiple-Output）システム、ＭＩＳＯ（Multiple-Input Single-Output）システム、ＳＩＳＯ（Single-Input Single-Output）システム、及びＳＩＭＯ（Single-Input Multiple-Output）システムのうち、いずれか１つでありうる。ＭＩＭＯシステムは、多数の転送アンテナ（transmit antenna）及び多数の受信アンテナ（receive antenna）を使用する。ＭＩＳＯシステムは、多数の転送アンテナ及び１つの受信アンテナを使用する。ＳＩＳＯシステムは、１つの転送アンテナ及び１つの受信アンテナを使用する。ＳＩＭＯシステムは、１つの転送アンテナ及び多数の受信アンテナを使用する。以下、転送アンテナは１つの信号またはストリームを転送することに使われる物理的または論理的アンテナを意味し、受信アンテナは１つの信号またはストリームを受信することに使われる物理的または論理的アンテナを意味する。
【００２４】
図１は、３ＧＰＰ ＬＴＥにおける無線フレーム（radio frame）の構造を示す。
【００２５】
これは、3GPP(3rd Generation Partnership Project) TS 36.211 V8.2.0 (2008-03) 「Technical Specification Group Radio Access Network; Evolved Universal Terrestrial Radio Access (E-UTRA); Physical channels and modulation (Release 8)」の５節を参照することができる。図１を参照すると、無線フレームは１０個のサブフレーム（subframe）から構成され、１つのサブフレームは２つのスロット（slot）から構成される。無線フレーム内のスロットは＃０から＃１９までスロット番号が付けられる。１つのサブフレームの転送にかかる時間をＴＴＩ（Transmission Time Interval）という。ＴＴＩは、データ転送のためのスケジューリング単位ということができる。例えば、１つの無線フレームの長さは１０ｍｓであり、１つのサブフレームの長さは１ｍｓであり、１つのスロットの長さは０．５ｍｓでありうる。
【００２６】
１つのスロットは時間領域（time domain）で複数のＯＦＤＭ（Orthogonal Frequency Division Multiplexing）シンボルを含み、周波数領域で複数の副搬送波（subcarrier）を含む。ＯＦＤＭシンボルは、３ＧＰＰ ＬＴＥがダウンリンクでＯＦＤＭＡを使用するので、１つのシンボル区間（symbol period）を表現するためのものであって、多重接続方式によって他の名称として呼ばれることができる。例えば、アップリンク多重接続方式にＳＣ−ＦＤＭＡが使われる場合、ＳＣ−ＦＤＭＡシンボルということができる。資源ブロック（ＲＢ：Resource Block）は資源割当単位であって、１つのスロットで複数の連続する副搬送波を含む。上記無線フレームの構造は一例に過ぎないものである。したがって、無線フレームに含まれるサブフレームの個数やサブフレームに含まれるスロットの個数、またはスロットに含まれるＯＦＤＭシンボルの個数は多様に変更できる。
【００２７】
３ＧＰＰ ＬＴＥは、ノーマル（normal）サイクリックプレフィックス（ＣＰ：Cyclic Prefix）で１つのスロットは７個のＯＦＤＭシンボルを含み、拡張（extended）ＣＰで１つのスロットは６個のＯＦＤＭシンボルを含むことと定義している。
【００２８】
無線通信システムは、ＦＤＤ（Frequency Division Duplex）方式とＴＤＤ（Time Division Duplex）方式とに大別できる。ＦＤＤ方式によれば、アップリンク転送とダウンリンク転送とが互いに異なる周波数帯域を占めながらなされる。ＴＤＤ方式によれば、アップリンク転送とダウンリンク転送とが同一な周波数帯域を占めながら互いに異なる時間になされる。ＴＤＤ方式のチャンネル応答は実質的に相互的（reciprocal）である。これは、与えられた周波数領域でダウンリンクチャンネル応答とアップリンクチャンネル応答とがほとんど同一であるということである。したがって、ＴＤＤに基盤した無線通信システムにおいて、ダウンリンクチャンネル応答はアップリンクチャンネル応答から得られる長所がある。ＴＤＤ方式は、全体周波数帯域をアップリンク転送とダウンリンク転送とが時分割されるので、基地局によるダウンリンク転送と端末によるアップリンク転送とが同時に遂行されることはできない。アップリンク転送とダウンリンク転送とがサブフレーム単位で区分されるＴＤＤシステムにおいて、アップリンク転送とダウンリンク転送とは互いに異なるサブフレームで遂行される。
【００２９】
図２は、１つのダウンリンクスロットに対する資源グリッド（resource grid）の一例を示す。
【００３０】
ダウンリンクスロットは、時間領域で複数のＯＦＤＭシンボルを含み、周波数領域でＮRB個の資源ブロックを含む。ダウンリンクスロットに含まれる資源ブロックの数ＮRBはセルで設定されるダウンリンク転送帯域幅（bandwidth：ＮDL）に従属する。例えば、ＬＴＥシステムでＮRBは６から１１０のうち、いずれか１つでありうる。１つの資源ブロックは、周波数領域で複数の副搬送波を含む。アップリンクスロットの構造も上記ダウンリンクスロットの構造と同一でありうる。
【００３１】
資源グリッド上の各要素（element）を資源要素（resource element）という。資源グリッド上の資源要素はスロット内のインデックス対（pair）（ｋ、ｌ）により識別できる。ここで、ｋ（ｋ＝０，．．．，ＮRB×１２−１）は周波数領域内の副搬送波インデックスであり、ｌ（ｌ＝０，．．．，６）は時間領域内のＯＦＤＭシンボルインデックスである。
【００３２】
ここで、１つの資源ブロックは時間領域で７ＯＦＤＭシンボル、周波数領域で１２副搬送波から構成される７×１２資源要素を含むことを例示的に記述するが、資源ブロック内のＯＦＤＭシンボルの数と副搬送波の数はこれに制限されるものではない。ＯＦＤＭシンボルの数と副搬送波の数はＣＰの長さ、周波数間隔（frequency spacing）などによって多様に変更できる。例えば、ノーマルＣＰの場合、ＯＦＤＭシンボルの数は７であり、拡張されたＣＰの場合、ＯＦＤＭシンボルの数は６である。１つのＯＦＤＭシンボルで副搬送波の数は１２８、２５６、５１２、１０２４、１５３６、及び２０４８のうち、１つを選定して使用することができる。
【００３３】
図３は、ダウンリンクサブフレームの構造を示す。
【００３４】
ダウンリンクサブフレームは、時間領域で２つのスロットを含み、各スロットはノーマルＣＰで７個のＯＦＤＭシンボルを含む。サブフレーム内の最初のスロットの先の最大３ＯＦＤＭシンボル（１．４Ｍｈｚ帯域幅に対しては最大４ＯＦＤＭシンボル）が制御チャンネルが割り当てられる制御領域（control region）であり、残りのＯＦＤＭシンボルはＰＤＳＣＨ（Physical Downlink Shared Channel）が割り当てられるデータ領域となる。
【００３５】
ＰＤＣＣＨは、ＤＬ−ＳＣＨ（Downlink-Shared Channel）の資源割当及び転送フォーマット、ＵＬ−ＳＣＨ（Uplink Shared Channel）の資源割当情報、ＰＣＨ上のページング情報、ＤＬ−ＳＣＨ上のシステム情報、ＰＤＳＣＨ上に転送されるランダムアクセス応答のような上位階層制御メッセージの資源割当、任意のＵＥグループ内の個別ＵＥに対する転送パワー制御命令の集合及びＶｏＩＰ（Voice over Internet Protocol）の活性化などを運ぶことができる。複数のＰＤＣＣＨが制御領域内で転送されることができ、端末は複数のＰＤＣＣＨをモニターリングすることができる。ＰＤＣＣＨは、１つまたは幾つかの連続的なＣＣＥ（Control Channel Elements）の集合（aggregation）の上に転送される。ＣＣＥは、無線チャンネルの状態に従う符号化率をＰＤＣＣＨに提供するために使われる論理的割当単位である。ＣＣＥは、複数の資源要素グループ（resource element group）に対応する。ＣＣＥの数とＣＣＥにより提供される符号化率の関連関係によって、ＰＤＣＣＨのフォーマット及び可能なＰＤＣＣＨのビット数が決定される。
【００３６】
基地局は端末に送ろうとするダウンリンク制御情報（downlink control information：ＤＣＩ）によってＰＤＣＣＨフォーマットを決定し、制御情報にＣＲＣ（Cyclic Redundancy Check）を付ける。ＣＲＣにはＰＤＣＣＨの所有者（owner）や用途によって固有な識別子（ＲＮＴＩ：Radio Network Temporary Identifier）がマスキングされる。特定端末のためのＰＤＣＣＨであれば、端末の固有識別子、例えばＣ−ＲＮＴＩ（Cell-RNTI）がＣＲＣにマスキングできる。または、ページングメッセージのためのＰＤＣＣＨであれば、ページング指示識別子、例えばＰ−ＲＮＴＩ（Paging-RNTI）がＣＲＣにマスキングできる。システム情報（ＳＩＢ：System Information Block）のためのＰＤＣＣＨであれば、システム情報識別子、ＳＩ−ＲＮＴＩ（System Information-RNTI）がＣＲＣにマスキングできる。端末のランダムアクセスプリアンブルの転送に対する応答であるランダムアクセス応答を指示するためにＲＡ−ＲＮＴＩ（Random Access-RNTI）がＣＲＣにマスキングできる。
【００３７】
図４は、アップリンクサブフレームの構造を示す。
【００３８】
アップリンクサブフレームは、周波数領域で制御領域とデータ領域とに分けられる。制御領域は、アップリンク制御情報が転送されるためのＰＵＣＣＨ（Physical Uplink Control Channel）が割り当てられる。データ領域は、データが転送されるためのＰＵＳＣＨ（Physical Uplink Shared Channel）が割り当てられる。
【００３９】
上位階層で指示される場合、端末はＰＵＳＣＨとＰＵＣＣＨとの同時転送をサポートすることができる。
【００４０】
１つの端末に対するＰＵＣＣＨは、サブフレームで資源ブロック対（RB pair）に割り当てられる。資源ブロック対に属する資源ブロックは第１スロットと第２スロットの各々で互いに異なる副搬送波を占める。ＰＵＣＣＨに割り当てられる資源ブロック対に属する資源ブロックが占める周波数はスロット境界（slot boundary）を基準に変更される。これをＰＵＣＣＨに割り当てられるＲＢ対がスロット境界で周波数がホッピング（frequency-hopped）されたという。端末がアップリンク制御情報を時間に従って互いに異なる副搬送波を通じて転送することによって、周波数ダイバーシティ利得を得ることができる。
【００４１】
ＰＵＳＣＨは、転送チャンネル（transport channel）であるＵＬ−ＳＣＨ（Uplink Shared Channel）にマッピングされる。ＰＵＳＣＨの上に転送されるアップリンクデータはＴＴＩの間転送されるＵＬ−ＳＣＨのためのデータブロックである転送ブロック（transport block）でありうる。転送ブロックは、ユーザ情報でありうる。または、アップリンクデータは多重化した（multiplexed）データでありうる。多重化したデータは、ＵＬ−ＳＣＨのための転送ブロックとアップリンク制御情報（uplink control information：ＵＣＩ）とが多重化したものでありうる。例えば、データに多重化するアップリンク制御情報にはＣＱＩ（channel quality indicator）、ＰＭＩ（Precoding Matrix Indicator）、ＨＡＲＱ−ＡＣＫ／ＮＡＣＫ（hybrid automatic repeat request acknowledgement／non-acknowledgement、HARQ-ACKと表示するか、または単純にＡ／Ｎと表示することができる）、ＲＩ（Rank Indicator）などがありうる。または、アップリンクデータはアップリンク制御情報のみで構成されることもできる。
【００４２】
一方、無線通信システムは搬送波集成（carrier aggregation：ＣＡ）をサポートすることができる。ここで、搬送波集成とは、小さい帯域幅を有する複数の搬送波を集めて広帯域を構成することを意味する。搬送波集成システムは、無線通信システムが広帯域をサポートしようとする時、目標とする広帯域より小さい帯域幅を有する１つ以上の搬送波を集めて広帯域を構成するシステムを意味する。
【００４３】
図５は、単一搬送波システムと搬送波集成システムとの比較例である。
【００４４】
図５を参照すると、単一搬送波システムではアップリンクとダウンリンクに１つの搬送波のみを端末にサポートする。搬送波の帯域幅は多様でありうるが、端末に割り当てられる搬送波は１つである。一方、搬送波集成システムでは端末に複数の要素搬送波（component carrier：ＣＣ）が割当てできる。例えば、端末に６０ＭＨｚの帯域幅を割り当てるために３個の２０ＭＨｚの要素搬送波が割当てできる。要素搬送波にはダウンリンク要素搬送波（downlink CC：ＤＬ ＣＣ）及びアップリンク要素搬送波（uplink CC：ＵＬ ＣＣ）がある。
【００４５】
搬送波集成システムは、各搬送波が連続した連続（contiguous）搬送波集成システムと各搬送波が互いに離れている不連続（non-contiguous）搬送波集成システムとに区分できる。以下、単純に搬送波集成システムという時、これは要素搬送波が連続の場合と不連続の場合とを全て含むことと理解されるべきである。
【００４６】
１つ以上の要素搬送波を集める時、対象となる要素搬送波は既存システムとの下位互換性（backward compatibility）のために既存システムで使用する帯域幅をそのまま使用することができる。例えば、３ＧＰＰ ＬＴＥシステムでは１．４ＭＨｚ、３ＭＨｚ、５ＭＨｚ、１０ＭＨｚ、１５ＭＨｚ、及び２０ＭＨｚの帯域幅をサポートし、３ＧＰＰ ＬＴＥ−Ａシステムでは３ＧＰＰ ＬＴＥシステムの帯域幅のみを用いて２０ＭＨｚ以上の広帯域を構成することができる。または、既存システムの帯域幅をそのまま使用せず、新たな帯域幅を定義して広帯域を構成することもできる。
【００４７】
無線通信システムのシステム周波数帯域は、複数の搬送波周波数（Carrier-frequency）に区分される。ここで、搬送波周波数はセルの中心周波数（Center frequency of a cell）を意味する。以下、セル（cell）はダウンリンク周波数資源及びアップリンク周波数資源を意味することができる。または、セルはダウンリンク周波数資源と選択的な（optional）アップリンク周波数資源との組合せ（combination）を意味することができる。また、一般的に搬送波集成（ＣＡ）を考慮しない場合、１つのセル（cell）はアップリンク及びダウンリンク周波数資源が常に対に存在することができる。
【００４８】
特定セルを通じてパケットデータの送受信がなされるためには、端末は先に特定セルに対して設定（configuration）を完了しなければならない。ここで、設定（configuration）とは、該当セルに対するデータ送受信に必要とするシステム情報受信を完了した状態を意味する。例えば、設定（configuration）はデータ送受信に必要とする共通物理階層パラメータ、またはＭＡＣ階層パラメータ、またはＲＲＣ階層で特定動作に必要とするパラメータを受信する全般の過程を含むことができる。設定完了したセルは、パケットデータが転送できるという情報を受信しさえすれば、直ちにパケットの送受信が可能になる状態である。
【００４９】
設定完了状態のセルは、活性化（Activation）または不活性化（Deactivation）状態で存在することができる。ここで、活性化はデータの送信または受信が行なわれるか、または準備状態（ready state）にあることをいう。端末は自身に割り当てられた資源（周波数、時間など）を確認するために、活性化したセルの制御チャンネル（ＰＤＣＣＨ）及びデータチャンネル（ＰＤＳＣＨ）をモニターリングまたは受信することができる。
【００５０】
不活性化は、トラフィックデータの送信または受信が不可能であり、測定や最小情報の送信／受信が可能であることをいう。端末は、不活性化セルからパケット受信のために必要なシステム情報（ＳＩ）を受信することができる。一方、端末は自身に割り当てられた資源（周波数、時間などのこともある）を確認するために不活性化したセルの制御チャンネル（ＰＤＣＣＨ）及びデータチャンネル（ＰＤＳＣＨ）をモニターリングまたは受信しない。
【００５１】
セルは、プライマリセル（primary cell：ＰＣｅｌｌ）とセカンダリセル（secondary cell：ＳＣｅｌｌ）、及びサービングセル（serving cell）に区分できる。
【００５２】
プライマリセルは、プライマリ周波数で動作するセルを意味し、端末が基地局との最初連結確立過程（initial connection establishment procedure）または連結再確立過程を遂行するセル、またはハンドオーバー過程でプライマリセルとして指示されたセルを意味する。
【００５３】
セカンダリセルは、セカンダリ周波数で動作するセルを意味し、一旦ＲＲＣ連結が確立されれば設定され、追加的な無線資源を提供することに使われる。
【００５４】
サービングセルは、ＣＡが設定されなかったり、ＣＡを提供できなかったりする端末の場合にはプライマリセルで構成される。ＣＡが設定された場合、サービングセルという用語はプライマリセル及び全てのセカンダリセルのうちの１つまたは複数のセルで構成された集合を示すことに使われる。
【００５５】
即ち、プライマリセルはＲＲＣ連結（establishment）または再連結（re-establishment）状態で、保安入力（security input）とＮＡＳ移動情報（mobility information）を提供する１つのサービングセルを意味する。端末の性能（capabilities）によって、少なくとも１つのセルがプライマリセルと共にサービングセル集合を形成するように構成できるが、少なくとも１つのセルをセカンダリセルという。
【００５６】
したがって、１つの端末に対して設定されたサービングセルとは、１つのプライマリセルのみで構成されるか、または１つのプライマリセルと少なくとも１つのセカンダリセルで構成されることができ、複数のサービングセルが端末に設定できる。
【００５７】
ＰＣＣ（primary component carrier）は、プライマリセルに対応するＣＣを意味する。ＰＣＣは、端末が多数のＣＣのうち、初期に基地局と接続（ConnectionまたはRRC Connection）をなすようになるＣＣである。ＰＣＣは、多数のＣＣに関するシグナリングのための連結（ConnectionまたはRRC Connection）を担い、端末と関連した連結情報である端末文脈情報（UE Context）を管理する特別なＣＣである。また、ＰＣＣは端末と接続をなすようになってＲＲＣ連結状態（RRC Connected Mode）の場合には常に活性化状態に存在する。
【００５８】
ＳＣＣ（secondary component carrier）は、セカンダリセルに対応するＣＣを意味する。即ち、ＳＣＣはＰＣＣの以外に端末に割り当てられたＣＣであって、ＳＣＣは端末がＰＣＣの以外に追加的な資源割当などのために拡張された搬送波（Extended Carrier）であり、活性化（activated）または不活性化（deactivated）状態に分けられる。
【００５９】
プライマリセルに対応するダウンリンク要素搬送波をダウンリンク主要素搬送波（DownLink Primary Component Carrier：ＤＬ ＰＣＣ）といい、プライマリセルに対応するアップリンク要素搬送波をアップリンク主要素搬送波（ＵＬ ＰＣＣ）という。また、ダウンリンクにおいて、セカンダリセルに対応する要素搬送波をダウンリンク副要素搬送波（DL Secondary CC：ＤＬ ＳＣＣ）といい、アップリンクにおいて、セカンダリセルに対応する要素搬送波をアップリンク副要素搬送波（ＵＬ ＳＣＣ）という。
【００６０】
プライマリセル及びセカンダリセルは、次のような特徴を有する。
【００６１】
第１に、プライマリセルはＰＵＣＣＨの転送のために使われる。
【００６２】
第２に、プライマリセルは常に活性化している一方、セカンダリセルは特定条件によって活性化／不活性化する搬送波である。
【００６３】
第３に、プライマリセルが無線リンク失敗（Radio Link Failure：以下、ＲＬＦ）を経験する時、ＲＲＣ再連結がトリガーリング（triggering）されるが、セカンダリセルがＲＬＦを経験する時は、ＲＲＣ再連結がトリガーリングされない。
【００６４】
第４に、プライマリセルは保安キー（security key）変更やＲＡＣＨ（Random Access Channel）手続に伴うハンドオーバー手続によって変更できる。
【００６５】
第５に、ＮＡＳ（non-access stratum）情報はプライマリセルを通じて受信する。
【００６６】
第６に、いつもプライマリセルはＤＬ ＰＣＣとＵＬ ＰＣＣとが対（pair）で構成される。
【００６７】
第７に、端末毎に異なる要素搬送波（ＣＣ）がプライマリセルに設定できる。
【００６８】
第８に、プライマリセルの再設定（reconfiguration）、追加（adding）、及び除去（removal）のような手続は、ＲＲＣ階層により遂行できる。新規セカンダリセルの追加において、専用（dedicated）セカンダリセルのシステム情報を転送することにＲＲＣシグナリングが使用できる。
【００６９】
ダウンリンク要素搬送波が１つのサービングセルを構成することもでき、ダウンリンク要素搬送波とアップリンク要素搬送波とが連結設定されて１つのサービングセルを構成することができる。しかしながら、１つのアップリンク要素搬送波のみではサービングセルが構成されない。
【００７０】
要素搬送波の活性化／不活性化は、サービングセルの活性化／不活性化の概念と同等である。例えば、サービングセル１がＤＬ ＣＣ１で構成されていると仮定する時、サービングセル１の活性化はＤＬ ＣＣ１の活性化を意味する。仮に、サービングセル２がＤＬ ＣＣ２とＵＬ ＣＣ２とが連結設定されて構成されていると仮定する時、サービングセル２の活性化はＤＬ ＣＣ２とＵＬ ＣＣ２の活性化を意味する。このような意味で、各要素搬送波はセル（cell）に対応できる。
【００７１】
ダウンリンクとアップリンクとの間に集成される要素搬送波の数は異なるように設定できる。ダウンリンクＣＣ数とアップリンクＣＣ数が同一な場合を対称的（symmetric）集成といい、その数が異なる場合を非対称的（asymmetric）集成という。また、ＣＣのサイズ（即ち、帯域幅）は互いに異なることがある。例えば、７０ＭＨｚ帯域の構成のために５個のＣＣが使われるとする時、５ＭＨｚ ＣＣ（carrier＃０）＋２０ＭＨｚ ＣＣ（carrier＃１）＋２０ＭＨｚ ＣＣ（carrier ＃２）＋２０ＭＨｚ ＣＣ（carrier ＃３）＋５ＭＨｚ ＣＣ（carrier ＃４）のように構成されることもできる。
【００７２】
前述したように、搬送波集成システムでは単一搬送波システムとは異なり、複数の要素搬送波（component carrier：ＣＣ）をサポートすることができる。即ち、１つの端末が複数のＤＬ ＣＣを通じて複数のＰＤＳＣＨを受信することができる。また、端末は１つのＵＬ ＣＣ、例えばＵＬ ＰＣＣを通じて複数のＰＤＳＣＨに対するＡＣＫ／ＮＡＣＫを転送することができる。即ち、従来の単一搬送波システムでは１つのサブフレームで１つのＰＤＳＣＨのみを受信するので、最大２つのＨＡＲＱ ＡＣＫ／ＮＡＣＫ（以下、便宜上、ＡＣＫ／ＮＡＣＫと略称）情報を転送すればよかった。しかしながら、搬送波集成システムでは複数のＰＤＳＣＨに対するＡＣＫ／ＮＡＣＫを１つのＵＬ ＣＣを通じて転送できるため、これに対するＡＣＫ／ＮＡＣＫ転送方法が要求される。
【００７３】
端末は、複数のＤＬ ＣＣでＰＤＣＣＨをモニターリングし、複数のＤＬ ＣＣを通じて同時にダウンリンク転送ブロックを受信することができる。端末は、複数のＵＬ ＣＣを通じて同時に複数のアップリンク転送ブロックを転送することができる。
【００７４】
多重搬送波システムにおいて、ＣＣスケジューリングは２つの方法が可能である。
【００７５】
第１は、１つのＣＣでＰＤＣＣＨ−ＰＤＳＣＨ対が転送されるものである。このＣＣを自己−スケジューリング（self-scheduling）という。また、これはＰＵＳＣＨが転送されるＵＬ ＣＣは該当するＰＤＣＣＨが転送されるＤＬ ＣＣにリンクされたＣＣになることを意味する。即ち、ＰＤＣＣＨは同一なＣＣ上でＰＤＳＣＨ資源を割り当てるか、またはリンクされたＵＬ ＣＣ上でＰＵＳＣＨ資源を割り当てるものである。
【００７６】
第２は、ＰＤＣＣＨが転送されるＤＬ ＣＣに関わらず、ＰＤＳＣＨが転送されるＤＬ ＣＣまたはＰＵＳＣＨが転送されるＵＬ ＣＣが定まるものである。即ち、ＰＤＣＣＨとＰＤＳＣＨとが互いに異なるＤＬ ＣＣで転送されるか、またはＰＤＣＣＨが転送されたＤＬ ＣＣとリンケージされていないＵＬ ＣＣを通じてＰＵＳＣＨが転送されるものである。これを交差−搬送波（cross-carrier）スケジューリングという。ＰＤＣＣＨが転送されるＣＣをＰＤＣＣＨ搬送波、モニターリング搬送波、またはスケジューリング（scheduling）搬送波といい、ＰＤＳＣＨ／ＰＵＳＣＨが転送されるＣＣをＰＤＳＣＨ／ＰＵＳＣＨ搬送波またはスケジューリングされた（scheduled）搬送波という。
【００７７】
ここに、既存のＰＵＣＣＨフォーマット（PUCCH format）について説明する。
【００７８】
ＰＵＣＣＨは、フォーマット（format）によって多様な種類の制御情報を運ぶ。ＰＵＣＣＨフォーマット１は、スケジューリング要請（ＳＲ：Scheduling Request）を運ぶ。この際、ＯＯＫ（On-Off Keying）方式が適用できる。ＰＵＣＣＨフォーマット１ａは、１つのコードワード（codeword）に対してＢＰＳＫ（Binary Phase Shift Keying）方式により変調されたＡＣＫ／ＮＡＣＫ（Acknowledgement/Non-Ａcknowledgement）を運ぶ。ＰＵＣＣＨフォーマット１ｂは、２つのコードワードに対してＱＰＳＫ（Quadrature Phase Shift Keying）方式により変調されたＡＣＫ／ＮＡＣＫを運ぶ。ＰＵＣＣＨフォーマット２は、ＱＰＳＫ方式により変調されたＣＱＩ（Channel Quality Indicator）を運ぶ。ＰＵＣＣＨフォーマット２ａ及び２ｂは、ＣＱＩ及びＡＣＫ／ＮＡＣＫを運ぶ。
【００７９】
＜表１＞は、ＰＵＣＣＨフォーマットに従う変調方式とサブフレーム内のビットの個数を示す。
【００８０】
【表１】
0005926402.tif 000002
【００８１】
図６はノーマルＣＰで１つのスロットに対するＰＵＣＣＨフォーマット２／２ａ／２ｂのチャンネル構造を示す。上述したように、ＰＵＣＣＨフォーマット２／２ａ／２ｂはＣＱＩの転送に使われる。
【００８２】
図６を参照すると、ノーマルＣＰでＳＣ−ＦＤＭＡシンボル１、５はアップリンク参照信号であるＤＭ ＲＳ（demodulation reference symbol）のために使われる。拡張ＣＰの場合には、ＳＣ−ＦＤＭＡシンボル３がＤＭ ＲＳのために使われる。
【００８３】
１０個のＣＱＩ情報ビットが、例えば１／２割合でチャンネルコーディングされて２０個のコーディングされたビットとなる。チャンネルコーディングにはリードミュラー（Reed-Muller：ＲＭ）コードが使用できる。そして、スクランブリング（ＰＵＳＣＨデータが長さ３１のゴールドシーケンスにスクランブリングされることと類似するように）された後、ＱＰＳＫ星状マッピング（constellation mapping）されてＱＰＳＫ変調シンボルが生成される（スロット０でｄ0からｄ4）。各ＱＰＳＫ変調シンボルは長さ１２の基本ＲＳシーケンスの循環シフトに変調され、ＯＦＤＭ変調された後、サブフレーム内の１０個のＳＣ−ＦＤＭＡシンボルの各々で転送される。均一に離隔した１２個の循環シフトは１２個の互いに異なる端末が同一なＰＵＣＣＨ資源ブロックで直交するように多重化できるようにする。ＳＣ−ＦＤＭＡシンボル１、５に適用されるＤＭ ＲＳシーケンスは長さ１２の基本ＲＳシーケンスが使用できる。
【００８４】
図７は、ノーマルＣＰでの１つのスロットに対するＰＵＣＣＨフォーマット１ａ／１ｂを示す。３番目から５番目のＳＣ−ＦＤＭＡシンボルでアップリンク参照信号が転送される。図７で、ｗ0、ｗ1、ｗ2、及びｗ3は、ＩＦＦＴ（Inverse Fast Fourier Transform）変調の以後に時間領域で変調されるか、またはＩＦＦＴ変調の以前に周波数領域で変調できる。
【００８５】
ＬＴＥにおいて、ＡＣＫ／ＮＡＣＫとＣＱＩとは同一サブフレームで同時に転送されることもでき、同時転送が許容されないこともある。ＡＣＫ／ＮＡＣＫとＣＱＩとの同時転送が許容されない場合で、端末がＣＱＩフィードバックが設定されたサブフレームのＰＵＣＣＨでＡＣＫ／ＮＡＣＫを転送することが必要でありうる。このような場合、ＣＱＩはドロップ（drop）され、ＡＣＫ／ＮＡＣＫのみＰＵＣＣＨフォーマット１ａ／１ｂを通じて転送される。
【００８６】
ＡＣＫ／ＮＡＣＫとＣＱＩとの同一サブフレームでの同時転送は、端末の特定的な上位階層（ＲＲＣ）シグナリングを通じて設定できる。例えば、ＡＣＫ／ＮＡＣＫとＣＱＩとが同一サブフレームで同時に転送できるか否かはＲＲＣ（radio resource control）メッセージに含まれた「simultaneousAckNackAndCQI」というパラメータにより設定できる。即ち、「simultaneousAckNackAndCQI」はＴＲＵＥに設定されれば同時転送が許容され、ＦＡＬＳＥに設定されれば同時転送が許容されないことがある。同時転送が可能な場合、基地局スケジューラがＣＱＩとＡＣＫ／ＮＡＣＫとの同時転送を許容したサブフレームでＣＱＩと１ビットまたは２ビットのＡＣＫ／ＮＡＣＫ情報が同一なＰＵＣＣＨ資源ブロックに多重化できる。この際、低いＣＭ（cubic metric）を有する単一搬送波特性を維持することが必要である。単一搬送波特性を維持しながらＣＱＩとＡＣＫ／ＮＡＣＫを多重化する方法はノーマルＣＰと拡張ＣＰで互いに異なる。
【００８７】
まず、ノーマルＣＰでＰＵＣＣＨフォーマット２ａ／２ｂを通じて１ビットまたは２ビットＡＣＫ／ＮＡＣＫとＣＱＩを共に転送する場合、ＡＣＫ／ＮＡＣＫビットはスクランブルされず、ＢＰＳＫ（１ビットの場合）／ＱＰＳＫ（２ビットの場合）変調されて１つのＡＣＫ／ＮＡＣＫ変調シンボル（ｄHARQ）となる。ＡＣＫは２進数「１」にエンコーディングされ、ＮＡＣＫは２進数「０」にエンコーディングされる。１つのＡＣＫ／ＮＡＣＫ変調シンボル（ｄHARQ）は各スロットで２番目のＲＳシンボルを変調することに使われる。即ち、ＡＣＫ／ＮＡＣＫはＲＳを用いてシグナリングされる。
【００８８】
図８は、ノーマルＣＰ、ＰＵＣＣＨフォーマット２ａ／２ｂでＡＣＫ／ＮＡＣＫの星状マッピングの例を示す。
【００８９】
図８を参照すると、ＮＡＣＫ（２つのダウンリンクコードワード転送の場合にはＮＡＣＫ、ＮＡＣＫ）は＋１にマッピングされる。端末がＰＤＣＣＨでダウンリンクグラントの検出に失敗した場合を意味するＤＴＸ（discontinuous transmission）はＡＣＫまたはＮＡＣＫを全て転送せず、このような場合、デフォルトＮＡＣＫとなる。ＤＴＸは基地局によりＮＡＣＫと解釈され、ダウンリンク再転送を引き起こす。
【００９０】
次に、スロット当たり１つのＲＳシンボルが使われる拡張ＣＰでは１または２ビットのＡＣＫ／ＮＡＣＫがＣＱＩとジョイントコーディング（joint coding）される。
【００９１】
図９は、拡張ＣＰでＡＣＫ／ＮＡＣＫとＣＱＩとのジョイントコーディングの例を示す。
【００９２】
図９を参照すると、ＲＭコードによりサポートされる情報ビットの最大ビット数は１３でありうる。この場合、ＣＱＩ情報ビット（Ｋcqi）は１１ビットであり、ＡＣＫ／ＮＡＣＫ情報ビット（ＫACK/NACK）は２ビットでありうる。ＣＱＩ情報ビットとＡＣＫ／ＮＡＣＫ情報ビットとは連接してビット列を生成した後、ＲＭコードによりチャンネルコーディングできる。このような場合、ＣＱＩ情報ビットとＡＣＫ／ＮＡＣＫ情報ビットとはジョイントコーディングされると表現する。即ち、ＣＱＩ情報ビットとＡＣＫ／ＮＡＣＫ情報ビットとは、ＲＭコードによりジョイントコーディングされて２０ビットのコーディングされたビットとなる。このような過程を通じて生成された２０ビットのコードワードは、図６で説明したチャンネル構造（拡張ＣＰの場合、図６とは異なり、スロット当たり１つのＲＳシンボルが使われる差はある）を有するＰＵＣＣＨフォーマット２で転送される。
【００９３】
ＬＴＥでは、ＰＵＣＣＨフォーマット１ａ／１ｂを通じてＡＣＫ／ＮＡＣＫとＳＲとが多重化して同時転送できる。
【００９４】
図１０は、ＡＣＫ／ＮＡＣＫとＳＲとが多重化する方法を示す。
【００９５】
図１０を参照すると、ＡＣＫ／ＮＡＣＫとＳＲとが同一サブフレームで同時転送される場合、端末はＡＣＫ／ＮＡＣＫを割り当てられたＳＲ資源で転送するが、このような場合、正（positive）のＳＲを意味する。正のＳＲが受信されれば、基地局は端末がスケジューリングを要請することが分かる。また、端末はＡＣＫ／ＮＡＣＫを割り当てられたＡＣＫ／ＮＡＣＫ資源で転送できるが、このような場合、負（negative）のＳＲを意味する。即ち、基地局はＡＣＫ／ＮＡＣＫとＳＲとが同時転送されるサブフレームではＡＣＫ／ＮＡＣＫがどの資源を通じて転送されるかを通じてＡＣＫ／ＮＡＣＫだけでなく、ＳＲが正のＳＲか、でなければ負のＳＲかを識別することができる。
【００９６】
図１１は、ＡＣＫ／ＮＡＣＫとＳＲとが同時転送される場合、星状マッピングを示す。
【００９７】
図１１を参照すると、ＤＴＸ／ＮＡＣＫと正のＳＲが星状マップ（constellation map）の＋１にマッピングされ、ＡＣＫは−１にマッピングされる。星状マップは信号の位相を示すものでありうる。
【００９８】
一方、ＬＴＥ ＴＤＤシステムにおいて、端末は複数のＰＤＳＣＨに対する複数のＡＣＫ／ＮＡＣＫを基地局にフィードバックすることができる。なぜならば、端末は複数のサブフレームで複数のＰＤＳＣＨを受信し、１つのサブフレームで複数のＰＤＳＣＨに対するＡＣＫ／ＮＡＣＫを転送できるためである。この際、２つのＡＣＫ／ＮＡＣＫ転送方法がある。
【００９９】
第１に、ＡＣＫ／ＮＡＣＫバンドリング（bundling）である。ＡＣＫ／ＮＡＣＫバンドリングは、複数のデータユニットに対するＡＣＫ／ＮＡＣＫビットを論理的ＡＮＤ演算を通じて結合するものである。例えば、端末が複数のデータユニット全体を成功的にデコーディングした場合には１つのＡＣＫビットのみを転送する。一方、端末が複数のデータユニットのうちのいずれか１つでもデコーディングや検出に失敗する場合、端末はＮＡＣＫビットを転送するか、または何にも転送しない。
【０１００】
バンドリングには、空間バンドリング（spatial bundling）、時間領域でのバンドリング、周波数領域でのバンドリングなどがある。空間バンドリングは、１つのＰＤＳＣＨ内で複数のコードワードを受信した場合、各コードワードに対するＡ／Ｎを圧縮する技法である。時間領域でのバンドリングは互いに異なるサブフレームで受信したデータユニットに対するＡ／Ｎを圧縮する技法である。周波数領域でのバンドリングは互いに異なるセル（即ち、ＣＣ）から受信したデータユニットに対するＡ／Ｎを圧縮する技法である。
【０１０１】
第２に、ＡＣＫ／ＮＡＣＫの多重化（multiplexing）である。ＡＣＫ／ＮＡＣＫ多重化方法において、複数のデータユニットに対するＡＣＫ／ＮＡＣＫの内容または意味は、実際ＡＣＫ／ＮＡＣＫ転送に使われるＰＵＣＣＨ資源とＱＰＳＫ変調シンボルの組合せにより識別できる。これは、チャンネル選択（channel selection）と称することもある。チャンネル選択は、使われるＰＵＣＣＨによってＰＵＣＣＨ１ａ／１ｂチャンネル選択と称することができる。
【０１０２】
例えば、最大２つのデータユニットが転送されることができ、１つのＰＵＣＣＨ資源が２ビットを運ぶことができると仮定する。この際、各データユニットに対するＨＡＲＱ動作は１つのＡＣＫ／ＮＡＣＫビットにより管理できると仮定する。このような場合、ＡＣＫ／ＮＡＣＫはデータユニットを転送した転送ノード（例えば、基地局）で次の表のように識別できる。
【０１０３】
【表２】
0005926402.tif 000003
【０１０４】
＜表２＞で、ＨＡＲＱ−ＡＣＫ（ｉ）はデータユニットｉに対するＡＣＫ／ＮＡＣＫ結果を指示する。上記の例では、データユニット０、データユニット１の２つのデータユニットがありうる。＜表２＞で、ＤＴＸは該当ＨＡＲＱ−ＡＣＫ（ｉ）に対するデータユニットの転送がなかったということを意味する。または、受信端（例えば、端末）でＨＡＲＱ−ＡＣＫ（ｉ）に対するデータユニットを検出できなかったということを意味する。ｎ(1)PUCCH,Xは、ＡＣＫ／ＮＡＣＫの実際転送に使われるＰＵＣＣＨ資源を表すが、最大２つのＰＵＣＣＨ資源がある。即ち、ｎ(1)PUCCH,0、ｎ(1)PUCCH,1である。ｂ（０）、ｂ（１）は選択されたＰＵＣＣＨ資源により伝達される２ビットを示す。ＰＵＣＣＨ資源を通じて転送される変調シンボルはｂ（０）、ｂ（１）によって決定される。
【０１０５】
例えば、受信端が２つのデータユニットを成功的に受信し、デコーディングしたとすれば、受信端はＰＵＣＣＨ資源ｎ(1)PUCCH,1を用いて２つのビット（ｂ（０）、ｂ（１））を（１，１）で転送しなければならない。他の例に、受信端が２つのデータユニットを受信して、１番目のデータユニットのデコーディングに失敗し、２番目のデータユニットのデコーディングは成功したと仮定する。このような場合、受信端は（０，０）をｎ(1)PUCCH,1を用いて転送しなければならない。
【０１０６】
このようにＡＣＫ／ＮＡＣＫの内容（または、意味）を、ＰＵＣＣＨ資源と該当ＰＵＣＣＨ資源で転送される実際ビットの内容の組合せとリンクする方法により単一ＰＵＣＣＨ資源を用いて複数のデータユニットに対するＡＣＫ／ＮＡＣＫ転送が可能である。
【０１０７】
ＡＣＫ／ＮＡＣＫ多重化方法では、仮に全てのデータユニットに対して少なくとも１つのＡＣＫが存在すれば、基本的にＮＡＣＫとＤＴＸはＮＡＣＫ／ＤＴＸのようにカップルで表示されている。これは、ＰＵＣＣＨ資源とＱＰＳＫシンボルの組合せだけではＮＡＣＫとＤＴＸとを区別して全てのＡＣＫ／ＮＡＣＫ組合せをカバーするには足りないためである。
【０１０８】
前述したＡＣＫ／ＮＡＣＫバンドリングやＡＣＫ／ＮＡＣＫ多重化方法では、端末が転送するＡＣＫ／ＮＡＣＫの対象となるＰＤＳＣＨの総個数が重要である。端末が複数のＰＤＳＣＨをスケジューリングする複数のＰＤＣＣＨのうちの一部ＰＤＣＣＨを受信できない場合、ＡＣＫ／ＮＡＣＫの対象となる総ＰＤＳＣＨの個数に対して誤りが発生するので、誤ったＡＣＫ／ＮＡＣＫを転送することがある。このような誤りを解決するために、ＴＤＤシステムではＤＡＩ（downlink assignment index）をＰＤＣＣＨに含んで転送する。ＤＡＩにはＰＤＳＣＨをスケジューリングするＰＤＣＣＨの数をカウンティングしてカウンティング値を知らせる。
【０１０９】
以下、ＰＵＣＣＨフォーマット２のためのアップリンクチャンネルコーディング方法について説明する。
【０１１０】
次の＜表３＞は、ＰＵＣＣＨフォーマット２のチャンネルコーディングに使われる（２０，Ａ）ＲＭコードの一例である。ここで、ＡはＣＱＩ情報ビットとＡＣＫ／ＮＡＣＫ情報ビットとが連接された（concatenated）ビット列のビット数（即ち、Ｋcqi＋ＫACK/NACK）でありうる。上記ビット列をａ0，ａ1，ａ2，．．．，ａA-1とすれば、ビット列（bit stream）が（２０，Ａ）のＲＭコードを用いたチャンネルコーディングブロックの入力に使用できる。
【０１１１】
【表３】
0005926402.tif 000004
【０１１２】
ＲＭコードによりチャンネルコーディングされたビット列ｂ0，ｂ1，ｂ2，．．．，ｂB-1は、次の＜式１＞のように生成できる。
【０１１３】
【数１】
0005926402.tif 000005
【０１１４】
＜式１＞で、ｉ＝０，１，２，．．．，Ｂ−１であり、Ｂ＝２０である。
【０１１５】
チャンネルコーディングされたビットはコード−時間−周波数資源にマッピングされる。
【０１１６】
図１２は、チャンネルコーディングされたビットがコード−時間−周波数資源にマッピングされる例を示す。
【０１１７】
図１２を参照すると、チャンネルコーディングされた２０ビットのうち、最初の１０ビットと最後の１０ビットとは互いに異なるコード−時間−周波数資源にマッピングされるが、特に最初の１０ビットと最後の１０ビットは周波数ダイバーシティ（diversity）のために周波数領域で大きく分離されて転送される。
【０１１８】
ここに、ＬＴＥ−Ａでのアップリンクチャンネルコーディング方法の一例を説明する。
【０１１９】
前述したように、ＬＴＥではＵＣＩがＰＵＣＣＨフォーマット２で転送される場合、最大１３ビットのＣＳＩを＜表３＞の（２０，Ａ）ＲＭコードを通じてＲＭコーディングする。一方、ＵＣＩがＰＵＳＣＨで転送される場合には最大１１ビットのＣＱＩを以下の＜表４＞の（３２，Ａ）ＲＭコードを通じてＲＭコーディングし、ＰＵＳＣＨに転送されるコード率を合せるために切断（truncation）または循環反復（circular repetition）を遂行する。
【０１２０】
【表４】
0005926402.tif 000006
【０１２１】
一方、ＬＴＥ−Ａでは最大２１ビット（これは、情報ビットで、チャンネルコーディング前のビット数であり、ＳＲが含まれる場合、最大２２ビット）のＵＣＩ（ＡＣＫ／ＮＡＣＫとＳＲ）を転送するためにＰＵＣＣＨフォーマット３が導入された。
【０１２２】
ＰＵＣＣＨフォーマット３は、ブロックスプレッディング（block spreading）基盤転送を遂行する。即ち、ブロックスプレッディングコードを用いてマルチビットＡＣＫ／ＮＡＣＫを変調した変調シンボルシーケンスを時間領域で拡散した後、転送する。
【０１２３】
図１３は、ＰＵＣＣＨフォーマット３のチャンネル構造を例示する。
【０１２４】
図１３を参照すると、変調シンボルシーケンス｛ｄ１，ｄ２，．．．｝は、ブロックスプレッディングコードが適用されて時間領域で拡散される。ブロックスプレッディングコードは、直交カバーコード（orthogonal cover code：ＯＣＣ）でありうる。ここで、変調シンボルシーケンスは、マルチビットであるＡＣＫ／ＮＡＣＫ情報ビットがチャンネルコーディング（ＲＭコード、ＴＢＣＣ、パンクチャリングされたＲＭコードなどを用いた）されてACK/NACK codedビットが生成され、ACK/NACK codedビットが変調（例えば、ＱＰＳＫ）された変調シンボルのシーケンスでありうる。変調シンボルのシーケンスはＦＦＴ（fast Fourier transform）、ＩＦＦＴ（inverse fast Fourier transform）を経てスロットのデータシンボルにマッピングされた後、転送される。図１３では、１つのスロットに２つのＲＳシンボルが存在する場合を例示したが、３個のＲＳシンボルが存在することができ、このような場合、長さ４のブロックスプレッディングコードが使用できる。
【０１２５】
このようなＰＵＣＣＨフォーマット３は、ノーマルＣＰで４８ビットのチャンネルコーディングされたビットを転送することができる。ＵＣＩビット（情報ビット）が１１ビット以下の時は、＜表４＞の（３２，Ａ）ＲＭコーディングを使用し、ＰＵＣＣＨフォーマット３のコーディングされたビット数に合せるために循環反復を使用する。＜表４＞で見るように、（３２，Ａ）ＲＭコードはベーシスシーケンスが１１個だけであるので、ＵＣＩビットが１１ビットより大きければ、２つの（３２，Ａ）ＲＭコードを用いた二重ＲＭコーディング（dual RM coding）を遂行する。
【０１２６】
図１４は、二重ＲＭコーディング過程を例示する。
【０１２７】
図１４を参照すると、ＵＣＩビット列（情報ビット）が１１ビットを超過する場合、分割（segmentation）を通じて分割されたビット列（これをセグメントと称する）を生成する。この際、セグメント１、セグメント２は、各々１１ビット以下となる。セグメント１、２は、各々（３２，Ａ）ＲＭコーディングを経てインターリービングまたは連接される。その後、ＰＵＣＣＨフォーマット３のコーディングされたビット数に合せるために切断または循環反復された後、転送される。
【０１２８】
（無線通信システムにおけるチャンネル状態情報転送方法）
無線通信システムで与えられたチャンネル容量（channel capacity）を最大限活用するためにリンク適応（link adaptation）を使用して、与えられたチャンネルによってＭＣＳ（modulation and coding scheme）と転送電力（Transmission Power）を調節する。このようなリンク適応を基地局で遂行するためには、端末のチャンネル状態情報フィードバックが必要である。
【０１２９】
１．チャンネル状態情報（channel status information：ＣＳＩ）
効率的な通信のためにはチャンネル情報をフィードバックすることが必要であるが、一般的にダウンリンクのチャンネル情報はアップリンクを通じて転送され、アップリンクのチャンネル情報はダウンリンクを通じて転送される。チャンネルの状態を示すチャンネル情報をチャンネル状態情報といい、チャンネル状態情報にはＰＭＩ（precoding matrix index）、ＲＩ（rank indicator）、ＣＱＩ（channel quality indicator）などがある。
【０１３０】
２．ダウンリンク転送モード
ダウンリンク転送モードは、後述する９種類に区分できる。
【０１３１】
転送モード１：単一アンテナポート、ポート０
【０１３２】
転送モード２：転送ダイバーシティ（transmit diversity）
【０１３３】
転送モード３：開放ループ（open loop）空間多重化（spatial multiplexing）：ＲＩフィードバックに基盤したランク適応が可能な開放ループモードである。ランクが１の場合、転送ダイバーシティが適用できる。ランクが１より大きい場合、大きい遅延（large delay）ＣＤＤが使用できる。
【０１３４】
転送モード４：閉ループ（closed loop）空間多重化または転送ダイバーシティ
【０１３５】
転送モード５：転送ダイバーシティまたはマルチユーザＭＩＭＯ
【０１３６】
転送モード６：転送ダイバーシティまたは単一転送レイヤを有する閉ループ空間多重化
【０１３７】
転送モード７：ＰＢＣＨ（physical broadcast channel）アンテナポートの個数が１であれば、単一アンテナポート（ポート０）を使用し、でなければ、転送ダイバーシティ使用。または、単一アンテナ転送（ポート５）。
【０１３８】
転送モード８：ＰＢＣＨアンテナポート個数が１つであれば、単一アンテナポート（ポート０）が使われ、でなければ、転送ダイバーシティ。または、アンテナポート７及び８を用いたデュアルレイヤ転送またはポート７またはポート８を用いた単一アンテナポート転送。
【０１３９】
転送モード９：最大８レイヤ転送（ポート７から１４）。
【０１４０】
ＭＢＳＦＮ（multicast-broadcast single frequency network）サブフレームでない場合、ＰＢＣＨアンテナポート個数が１つであれば、単一アンテナポート転送（ポート０）が使われ、でなければ、転送ダイバーシティ。
【０１４１】
ＭＢＳＦＮサブフレームの場合には、単一アンテナポート転送（ポート７）。
【０１４２】
３．ＣＳＩの周期的転送
ＣＳＩは上位階層で定めた周期によって周期的にＰＵＣＣＨを介して転送できる。端末はＰＵＣＣＨを介して周期的に差分（differential）ＣＳＩ（ＣＱＩ、ＰＭＩ、ＲＩ）をフィードバックするように上位階層信号により半静的に設定できる。この際、端末は次の表のように定義されたモードによって該当ＣＳＩを転送する。
【０１４３】
【表５】
0005926402.tif 000007
【０１４４】
上述した各転送モード別に次のようなＰＵＣＣＨでの周期的ＣＳＩレポーティングモードがサポートされる。
【０１４５】
【表６】
0005926402.tif 000008
【０１４６】
一方、ＣＳＩレポートの衝突とは、第１のＣＳＩを転送するように設定されたサブフレームと第２のＣＳＩを転送するように設定されたサブフレームとが同一な場合をいう。ＣＳＩレポートの衝突が発生する場合、第１のＣＳＩと第２のＣＳＩとを同時に転送するか、または第１のＣＳＩと第２のＣＳＩの優先順位（priority）によって優先順位の低いＣＳＩの転送を放棄（これをドロップ（drop）という）し、優先順位の高いＣＳＩを転送することができる。
【０１４７】
ＰＵＣＣＨを介してのＣＳＩレポートは、ＣＱＩ／ＰＭＩ／ＲＩの転送組合せによって次のように多様なレポートタイプが存在することができ、各レポートタイプ（以下、タイプと略称）によって区分される周期及びオフセット値がサポートされる。
【０１４８】
タイプ１：端末が選択したサブバンドに対するＣＱＩフィードバックをサポートする。
【０１４９】
タイプ１ａ：サブバンドＣＱＩ及び第２のＰＭＩフィードバックをサポートする。
【０１５０】
タイプ２、２ｂ、２ｃ：広帯域ＣＱＩとＰＭＩフィードバックをサポートする。
【０１５１】
タイプ２ａ：広帯域ＰＭＩフィードバックをサポートする。
【０１５２】
タイプ３：ＲＩフィードバックをサポートする。
【０１５３】
タイプ４：広帯域ＣＱＩを転送する。
【０１５４】
タイプ５：ＲＩと広帯域ＰＭＩフィードバックをサポートする。
【０１５５】
タイプ６：ＲＩとＰＴＩフィードバックをサポートする。
【０１５６】
各サービングセルに対し、ＣＱＩ／ＰＭＩレポーティングに対してサブフレーム単位の周期であるＮpd及びオフセットＮoffset,CQIがパラメータ「cqi-pmi-ConfigIndex」（ＩCQI/PMI）に基づいて決定される。また、各サービングセルに対してＲＩレポーティングに対して周期ＭRI及び相対的オフセット（relative offset）Ｎoffset,RIがパラメータ「ri-ConfigIndex」（ＩRI）に基づいて決定される。「cqi-pmi-ConfigIndex」及び「ri-ConfigIndex」は、ＲＲＣメッセージのような上位階層信号により設定される。ＲＩのための相対的オフセットＮoffset,RIは集合｛０，−１，．．．，−（Ｎpd−１）｝のうちで値を有する。
【０１５７】
端末がＣＳＩをレポーティングするサブフレームをＣＳＩサブフレームというが、端末には複数のＣＳＩサブフレームで構成されたＣＳＩサブフレーム集合が設定できる。仮に、端末に２つ以上のＣＳＩサブフレーム集合でレポーティングが設定される場合であれば、各ＣＳＩサブフレーム集合に対応する「cqi-pmi-ConfigIndex」及び「ri-ConfigIndex」が与えられる。例えば、２つのＣＳＩサブフレーム集合でＣＳＩレポーティングが設定される場合、「cqi-pmi-ConfigIndex」及び「ri-ConfigIndex」は第１のＣＳＩサブフレーム集合に対するものであり、「cqi-pmi-ConfigIndex2」及び「ri-ConfigIndex2」は第２のＣＳＩサブフレーム集合に対するものである。
【０１５８】
１つのサービングセルに対するＣＳＩタイプ３、５、または６のＣＳＩレポートと１つのサービングセルに対するＣＳＩタイプ１、１ａ、２、２ａ、２ｂ、２ｃ、または４のＣＳＩレポートとが衝突する場合、ＣＳＩタイプ１、１ａ、２、２ａ、２ｂ、２ｃ、または４のＣＳＩレポートが優先順位が低いし、ドロップされる。
【０１５９】
端末に２つ以上のサービングセルが設定された場合、端末は与えられたサブフレームでただ１つのサービングセルに対するＣＳＩレポーティングのみを遂行する。与えられたサブフレームで第１セルのＣＳＩタイプ３、５、６、または２ａのＣＳＩレポートと第２セルのＣＳＩタイプ１、１ａ、２、２ｂ、２ｃ、または４のＣＳＩレポートとが衝突することがある。この場合、ＣＳＩタイプ１、１ａ、２、２ｂ、２ｃ、または４のＣＳＩレポートは低い優先順位であり、ドロップされる。
【０１６０】
与えられたサブフレームで、第１セルのＣＳＩタイプ２、２ｂ、２ｃ、または４のＣＳＩレポートと第２セルのＣＳＩタイプ１または１ａのＣＳＩレポートとが衝突することがある。この場合、ＣＳＩタイプ１または１ａのＣＳＩレポートは低い優先順位であり、ドロップされる。第１セルと第２セルとは互いに異なるセルである。
【０１６１】
与えられたサブフレームで互いに異なるサービングセルの同一な優先順位を有するＣＳＩタイプのＣＳＩレポートが衝突することがある。この場合には、最も低いサービングセルインデックス（ServCellIndex）を有するサービングセルのＣＳＩがレポートされ、他の全てのサービングセルのＣＳＩはドロップされる。
【０１６２】
（周期的／非周期的ＳＲＳ）
ＳＲＳ（sounding reference signal）は、ＰＵＳＣＨ／ＰＵＣＣＨ転送に関連しない参照信号であり、アップリンクで転送できる。ＳＲＳの転送はタイプ０方式とタイプ１方式がある。タイプ０方式の場合、設定された周期に合せて転送する方式であって、端末別に半静的に予め設定された周期によって該当周期に合せてＳＲＳを転送する。タイプ１方式の場合、非周期的にトリガーリングにより転送する方式であって、ダウンリンク制御信号（ＤＣＩ：downlink control information）にトリガーリング信号が含まれる。
【０１６３】
上記２つの方式とも、セル特定的にＳＲＳ転送可能サブフレームが設定され、端末は該当サブフレームのみでＳＲＳ転送が可能である。
【０１６４】
ここに、本発明について説明する。
【０１６５】
前述したように、LTE release 8ではＰＵＳＣＨ転送のないサブフレームで周期的ＣＱＩ転送とＡ／Ｎ転送とが衝突する場合、周期的ＣＱＩとＡ／Ｎとの同時転送が設定されていれば、ＰＵＣＣＨフォーマット２ａ／２ｂを用いて周期的ＣＱＩとＡ／Ｎとを同時に転送する。具体的に、ＰＵＣＣＨフォーマット２の２番目の参照信号シンボルの位相を変調してＡ／Ｎを多重化する。
【０１６６】
しかしながら、ＬＴＥ−Ａでは複数のＰＤＳＣＨ（例えば、複数のセルで受信したＰＤＳＣＨ）に対する複数のＡ／Ｎを転送する必要がある。即ち、ＬＴＥ−ＡではＡ／Ｎの情報量が増加するので、従来のような参照信号シンボルの位相変調方式を通じてのＡ／ＮとＣＱＩとの多重化方法は適切でないことがある。
【０１６７】
以下、周期的ＣＳＩとＡ／Ｎ、ＳＲなどが同一なアップリンク制御チャンネルを介して同時転送されるように設定された場合、如何なる方式により周期的ＣＳＩ、Ａ／Ｎ、ＳＲなどを多重化するかと、ＵＣＩ構成に従う制御チャンネル資源の選択方法を開示する。ＵＣＩは、周期的ＣＳＩ、Ａ／Ｎ、ＳＲなどを通称する用語である。
【０１６８】
このような方法は、端末にＡ／ＮとＣＳＩとの同時転送を設定または解除するＲＲＣ再設定時の模糊性に強靭な動作を考慮する。
【０１６９】
以下、ＣＳＩは周期的ＣＳＩに制限できる。また、Ａ／ＮとＣＳＩなどのような制御情報が多重化して転送されるアップリンクチャンネルにＰＵＣＣＨフォーマット３を例示するが、これに制限されるものではない。例えば、ＰＵＣＣＨフォーマット３のコーディングチェーン、ＲＥマッピングなどを変形した新たなＰＵＣＣＨフォーマット、またはＰＵＳＣＨ転送などにも本発明は適用できる。
【０１７０】
（Ａ／ＮとＣＳＩとの同時転送設定時、ＵＣＩ組合せに従う転送資源選択）
端末は、複数のセル（複数のＤＬ ＣＣ）に対するＡ／Ｎと１つまたは複数のセル（即ち、１つまたは複数のＤＬ ＣＣ）に対する周期的ＣＳＩとを多重化して同時転送するように設定できる。このように制御チャンネルを介してＵＣＩを転送する場合、端末が転送するＵＣＩの組合せによって制御チャンネルの転送資源を選択することができる。
【０１７１】
１．Ａ／Ｎのみ発生した場合の転送方法
（１）ＦＤＤ（frequency division duplex）で複数のセルに対するＡ／Ｎ転送のためにＰＵＣＣＨフォーマット３が設定された場合。
【０１７２】
この際、端末はLTE-A release 10のＡ／Ｎ転送方法に従う。即ち、Ａ／Ｎを転送するＵＬサブフレーム（例えば、サブフレームｎ）に対応するＤＬサブフレーム（例えば、サブフレームｎ−ｋ、ｋ＝４）に、ｉ）１つのＰＤＳＣＨがＰＣＣのみに存在し、ＰＤＣＣＨ無しでスケジューリングされた場合（例えば、ＳＰＳでスケジューリングされたＰＤＳＣＨ）、ｉｉ）１つのＰＤＳＣＨがＰＣＣのみに存在し、ＰＤＣＣＨを介してスケジューリングされた場合、またはｉｉｉ）１つのＰＤＣＣＨがＰＣＣのみに存在し、該当ＰＤＣＣＨがＡ／Ｎ応答を必要とする場合（例えば、ダウンリンクＳＰＳ解除ＰＤＣＣＨ）にはＰＵＣＣＨフォーマット１ａ／１ｂを使用することができる。
【０１７３】
ＰＵＣＣＨフォーマット１ａ／１ｂは、ＰＵＣＣＨフォーマット３の資源を選択することに必要とするＡＲＩ（ACK/NACK resource indicator、後述する）をＰＤＣＣＨから受信できない場合に使われるものと定義されることもできる。ＦＤＤにおいて、ｉ）からｉｉｉ）の条件またはＡＲＩを受信できない場合に対するＡ／Ｎを以下、単一Ａ／Ｎ（single ACK/NACK：ｓＡ／Ｎ）と称することができる。
【０１７４】
ｉｖ）ｉ）からｉｉｉ）及びＡＲＩ受信不可条件の以外の場合に対するＡ／Ｎを多重Ａ／Ｎ（multiple ACK/NACK：ｍＡ／Ｎ）と称することができる。例えば、ＰＵＣＣＨフォーマット３資源の選択のためのＡＲＩをＰＤＣＣＨから受信した場合、転送するＡ／ＮをｍＡ／Ｎと称することができる。
【０１７５】
端末は、ＰＵＣＣＨフォーマット３を使用してＡ／Ｎを転送することができる。
【０１７６】
ｉｉ）、ｉｉｉ）のように、ＰＤＣＣＨが占有するＣＣＥに対応する暗黙的ＰＵＣＣＨ資源が存在すればその資源を用い、ｉ）、ｉｖ）のように暗黙的ＰＵＣＣＨ資源が存在しなければＲＲＣで割当を受けた４個の明示的ＰＵＣＣＨ資源のうち、ＰＤＣＣＨに含まれたＡＲＩが指示する１つの資源を選択して使用する。ｉｖ）の場合、多重ＣＳＩ転送時にＲＲＣで割り当てられたＰＵＣＣＨフォーマット３資源を同一に使用することができる。
【０１７７】
（２）ＦＤＤで複数のセルに対するＡ／Ｎ転送のためにＰＵＣＣＨフォーマット１ａ／１ｂチャンネル選択が設定された場合。この際、端末はLTE-A release 10のチャンネル選択方法に従う。
【０１７８】
（３）ＴＤＤ（timedivision duplex）で複数のセルに対するＡ／Ｎ転送のためにＰＵＣＣＨフォーマット３が設定された場合。
【０１７９】
Ａ／Ｎを転送するＵＬサブフレーム（例：サブフレームｎ）に対応するＤＬサブフレーム（例：サブフレームｎ−ｋ、ｋ∈Ｋ、Ｋは3GPP TS 36.213. V10, Evolved Universal Terrestrial Radio Access(E-UTRA);physical layer procedures(Release 10)のテーブル１０．１．３．１−１に定義され、Ｍ個の要素、即ち｛ｋ0，ｋ1，．．．，ｋM-1｝で構成された集合）に、ｉ）ＰＤＣＣＨ無しでスケジューリングされたＰＤＳＣＨがＰＣＣのみに１つ存在し、Ａ／Ｎ応答を要求するＰＤＣＣＨがない時、ｉｉ）ＰＤＣＣＨでスケジューリングされたＰＤＳＣＨがＰＣＣのみに１つ存在し、該当ＰＤＳＣＨのＤＡＩ＝１の場合、またはｉｉｉ）Ａ／Ｎ応答を要求するＤＡＩ＝１のＰＤＣＣＨ（例えば、ダウンリンクＳＰＳ解除ＰＤＣＣＨ、以下、同一）が１つ存在し、ＰＤＳＣＨがない時にはＰＵＣＣＨフォーマット１ａ／１ｂを使用する。
【０１８０】
ｉｖ）Ａ／Ｎ応答を要求するＤＡＩ＝１のＰＤＣＣＨが存在するか、またはＰＤＣＣＨでスケジューリングされたＰＤＳＣＨがＰＣＣのみに１つ存在し、該当ＰＤＣＣＨのＤＡＩ＝１、ＰＤＣＣＨ無しでスケジューリングされたＰＤＳＣＨが１つある時は、ＰＵＣＣＨフォーマット１ａ／１ｂチャンネル選択を使用する。
【０１８１】
この際、最初のＨＡＲＱ−ＡＣＫはＰＤＣＣＨ無しで転送されたＰＤＳＣＨに対応、２番目のＨＡＲＱ−ＡＣＫはＰＤＣＣＨ ＤＡＩ＝１のＰＤＳＣＨの最初のコードワードまたはダウンリンクＳＰＳ解除ＰＤＣＣＨに対応、３番目のＨＡＲＱ−ＡＣＫはＤＡＩ＝１のＰＤＣＣＨがスケジューリングするＰＤＳＣＨの２番目コードワードに対応する。
【０１８２】
ＰＵＣＣＨフォーマット１ａ／１ｂまたはＰＵＣＣＨフォーマット１ａ／１ｂチャンネル選択は、ＰＵＣＣＨフォーマット３の資源選択のためのＡＲＩをＰＤＣＣＨから受信できない場合に適用することと定めることができる。ＴＤＤにおいて、ｉ）からｉｖ）の条件を便宜上、単一Ａ／Ｎ（ｓＡ／Ｎ）と称することができる。ｉｖ）の場合、ｉ）からｉｉｉ）条件とは異なり、（ＳＲ、ＣＳＩの衝突の場合も）例外的な方法で動作できる。
【０１８３】
ｖ）ｉ）からｉｖ）の以外の場合、転送されるＡ／Ｎを多重Ａ／Ｎ（ｍＡ／Ｎ）と称することができる。例えば、ＰＵＣＣＨフォーマット３の資源選択のためのＡＲＩをＰＤＣＣＨから受信することができる場合、転送するＡ／ＮをｍＡ／Ｎと称することができる。
【０１８４】
端末は、ＰＵＣＣＨフォーマット３を使用してＡ／Ｎを転送することができる。ＰＤＣＣＨが占有するＣＣＥに対応する暗黙的ＰＵＣＣＨ資源が存在する場合（ｉｉ）、ｉｉｉ）、ｉｖ）の一部）、その暗黙的ＰＵＣＣＨ資源を使用し、そうでない場合（ｉ）、ｖ）、ｉｖ）の一部）、ＲＲＣで割当を受けた４個の明示的ＰＵＣＣＨ資源のうち、ＰＤＣＣＨに含まれたＡＲＩが指示する１つの資源を選択して使用する。
【０１８５】
２．ＣＳＩのみ発生した場合の転送方法
Ａ／Ｎ無しで１つのセル（１つのＣＣ）に対するＣＳＩのみ転送する場合、ＰＵＣＣＨフォーマット２でＣＳＩを転送することができる。複数のＣＳＩを転送する場合には、ＰＵＣＣＨフォーマット３を使用することができる。ＰＵＣＣＨフォーマット３はＣＳＩのみを転送する場合に別途に割当できる。
【０１８６】
３．Ａ／ＮとＣＳＩとの同時転送（衝突）時の転送方法。
１）ＦＤＤで多重セルに対するＡ／Ｎ転送のためにＰＵＣＣＨフォーマット３が使われるように設定された場合、または多重セルに対するＡ／Ｎ転送のためにＰＵＣＣＨフォーマット１ａ／１ｂチャンネル選択使用が設定された場合。
【０１８７】
ＤＬ ＣＣに対するＣＳＩを転送するＵＬサブフレーム（例えば、サブフレームｎ）でＡ／Ｎ転送が必要であり、このＵＬサブフレームに対応するＤＬサブフレーム（例えば、サブフレームｎ−ｋ、ｋ＝４）に、ｉ）１つのＰＤＳＣＨがＰＣＣのみに存在し、ＰＤＣＣＨ無しでスケジューリングされた場合（例えば、ＳＰＳでスケジューリングされたＰＤＳＣＨ）、ｉｉ）１つのＰＤＳＣＨがＰＣＣのみに存在し、ＰＤＣＣＨを介してスケジューリングされた場合、またはｉｉｉ）１つのＰＤＣＣＨがＰＣＣのみに存在し、該当ＰＤＣＣＨがＡ／Ｎ応答を必要とする場合（例えば、ダウンリンクＳＰＳ解除ＰＤＣＣＨ）にはサブフレームｎがノーマルＣＰを使用すれば、ＣＳＩはＰＵＣＣＨフォーマット２に転送され、Ａ／ＮはＰＵＣＣＨフォーマット２の参照信号シンボル変調を通じて転送される。即ち、ＰＵＣＣＨフォーマット２ａ／２ｂを使用してＣＳＩ、Ａ／Ｎを同時に転送する。拡張ＣＰを使用すれば、ＣＳＩとＡ／ＮとをジョイントコーディングしてＰＵＣＣＨフォーマット２で転送する。または、ＰＵＣＣＨフォーマット３を通じてＣＳＩ、Ａ／Ｎを同時転送することができる。これは、多重ＣＳＩ転送が設定されるか、またはＣＳＩのみの転送のためにＰＵＣＣＨフォーマット３が割り当てられた場合に適用できる。上述した方法は、ＰＵＣＣＨフォーマット３の資源選択のためのＡＲＩをＰＤＣＣＨから受信することができる場合に適用できる。
【０１８８】
ｉｖ）ｉ）からｉｉｉ）の以外の場合であって、ＰＵＣＣＨフォーマット３の資源選択のためのＡＲＩをＰＤＣＣＨから受信することができる場合である。
【０１８９】
端末はＰＵＣＣＨフォーマット３でＣＳＩとＡ／Ｎとを多重化して転送することができる。この際、ＣＳＩ多重化のためにＡ／Ｎをバンドリング（bundling）して圧縮することができる。
【０１９０】
ＣＳＩは、１つまたは複数のセル（ＤＬ ＣＣ）に対するＣＳＩでありうる。複数のＤＬ ＣＣに対するＣＳＩの転送が許容された場合、複数のＣＳＩ転送が衝突するサブフレームで上述したｉ）からｉｉｉ）の条件が満たせば、１つのＤＬ ＣＣに対するＣＳＩのみを選択して転送し、残りはドロップすることができる。この際、上述したＰＵＣＣＨフォーマット２、３が使用できる。または、複数のＤＬ ＣＣに対するＣＳＩをＰＵＣＣＨフォーマット３を通じて転送することもできる。または、ｉｖ）の場合、Ａ／ＮとＣＳＩとを多重化してＰＵＣＣＨフォーマット３を通じて転送することもできる。
【０１９１】
または、単一ＣＳＩが発生したサブフレームではＰＵＣＣＨフォーマット２系列（ＰＵＣＣＨフォーマット２／２ａ／２ｂ）を使用し、多重ＣＳＩが発生したサブフレームではＰＵＣＣＨフォーマット３を使用してＡ／Ｎと同時に転送することができる。
【０１９２】
２）ＴＤＤで複数のセルに対するＡ／Ｎ転送のためにＰＵＣＣＨフォーマット３が設定される場合、または複数のセルに対するＡ／Ｎ転送のためにＰＵＣＣＨフォーマット１ａ／１ｂチャンネル選択が設定される場合。
【０１９３】
ＤＬ ＣＣに対するＣＳＩを転送するＵＬサブフレーム（例：サブフレームｎ）でＡ／Ｎ転送が必要であり、このＵＬサブフレームに対応するＤＬサブフレーム（例：サブフレームｎ−ｋ、ｋ∈Ｋ、Ｋは３ＧＰＰ ＴＳ３６．２１３．Ｖ１０、Evolved Universal Terrestrial Radio Access（Ｅ−ＵＴＲＡ）：physical layer procedures（Release 10）のテーブル１０．１．３．１−１に定義され、Ｍ個の要素、即ち｛ｋ0，ｋ1，．．．，ｋM-1｝で構成された集合）に、ｉ）ＰＤＣＣＨ無しでスケジューリングされたＰＤＳＣＨがＰＣＣにのみ１つ存在し、Ａ／Ｎ応答を要求するＰＤＣＣＨがない時、ｉｉ）ＰＤＣＣＨにスケジューリングされたＰＤＳＣＨがＰＣＣのみに１つ存在し、該当ＰＤＳＣＨのＤＡＩ＝１の場合、またはｉｉｉ）Ａ／Ｎ応答を要求するＤＡＩ＝１のＰＤＣＣＨ（例えば、ダウンリンクＳＰＳ解除ＰＤＣＣＨ、以下、同一）が１つ存在し、ＰＤＳＣＨがない時にはサブフレームｎがノーマルＣＰを使用すればＣＳＩはＰＵＣＣＨフォーマット２で転送され、Ａ／ＮはＰＵＣＣＨフォーマット２の参照信号シンボル変調を通じて転送される。即ち、ＰＵＣＣＨフォーマット２ａ／２ｂを使用してＣＳＩ、Ａ／Ｎを同時に転送する。拡張ＣＰを使用すれば、ＣＳＩとＡ／ＮとをジョイントコーディングしてＰＵＣＣＨフォーマット２で転送する。Ａ／Ｎはバンドリングされた形態に転送できる。または、多重ＣＳＩ転送が設定されるか、またはＣＳＩのみの転送のためにＰＵＣＣＨフォーマット３の割当を受けた場合、端末はＰＵＣＣＨフォーマット３を使用してＣＳＩとＡ／Ｎとを同時に転送することができる（方法１）。
【０１９４】
ｉｖ）Ａ／Ｎ応答を要求するＤＡＩ＝１のＰＤＣＣＨが存在するか、またはＰＤＣＣＨでスケジューリングされたＰＤＳＣＨがＰＣＣのみに１つ存在し、該当ＰＤＣＣＨのＤＡＩ＝１、ＰＤＣＣＨ無しでスケジューリングされたＰＤＳＣＨが１つある時はＣＳＩをドロップし、ＰＵＣＣＨフォーマット１ａ／１ｂチャンネル選択を使用してＡ／Ｎのみを転送する（方法２）。この際、最初のＨＡＲＱ−ＡＣＫはＰＤＣＣＨ無しで転送されたＰＤＳＣＨに対応、２番目ＨＡＲＱ−ＡＣＫはＰＤＣＣＨ ＤＡＩ＝１のＰＤＳＣＨの最初コードワードまたはダウンリンクＳＰＳ解除ＰＤＣＣＨに対応、３番目ＨＡＲＱ−ＡＣＫはＤＡＩ＝１のＰＤＣＣＨがスケジューリングするＰＤＳＣＨの２番目コードワードに対応する。
【０１９５】
ｉ）からｉｖ）に適用される方法は、ＰＵＣＣＨフォーマット３資源選択のためのＡＲＩをＰＤＣＣＨから受信できない場合に適用されることと定めることもできる。
【０１９６】
または、ｉｖ）場合、次のような方法２−１から２−５のうち、いずれか１つを選択して使用することができる。
【０１９７】
サブフレームｎがノーマルＣＰを使用する場合、ＣＳＩはＰＵＣＣＨフォーマット２で転送され、Ａ／ＮはＰＵＣＣＨフォーマット２の参照信号シンボル変調を通じて転送される。即ち、ＰＵＣＣＨフォーマット２ａ／２ｂを使用してＣＳＩとＡ／Ｎを転送する。拡張ＣＰを使用する場合、ＣＳＩとＡ／ＮとはジョイントコーディングされてＰＵＣＣＨフォーマット２で転送される。または、多重ＣＳＩ転送が設定された場合、ＰＵＣＣＨフォーマット３を使用してＣＳＩとＡ／Ｎとを同時転送することができる。
【０１９８】
２−１．Ａ／Ｎは「Ａ／Ｎ応答を要求するＤＡＩ＝１のＰＤＣＣＨ（ｅｘ．ダウンリンクＳＰＳ解除ＰＤＣＣＨ、以下、同一）」または「ＰＤＣＣＨでスケジュールされたＰＤＳＣＨがＰＣＣのみに１つ存在し、該当ＰＤＣＣＨのＤＡＩ＝１の場合」に対するＡ／Ｎはドロップし、「ＰＤＣＣＨ無しで（ＳＰＳで）スケジュールされたＰＤＳＣＨ」に対するＡ／Ｎは転送することができる。
【０１９９】
２−２．Ａ／Ｎは「Ａ／Ｎ応答を要求するＤＡＩ＝１のＰＤＣＣＨ」または「ＰＤＣＣＨでスケジュールされたＰＤＳＣＨがＰＣＣのみに１つ存在し、該当ＰＤＣＣＨのＤＡＩ＝１の場合」に対するＡ／Ｎを転送し、「ＰＤＣＣＨ無しで（ＳＰＳで）スケジュールされたＰＤＳＣＨ」に対するＡ／Ｎはドロップすることができる。
【０２００】
２−３．Ａ／Ｎは「Ａ／Ｎ応答を要求するＤＡＩ＝１のＰＤＣＣＨ」または「ＰＤＣＣＨでスケジュールされたＰＤＳＣＨがＰＣＣのみに１つ存在し、該当ＰＤＣＣＨのＤＡＩ＝１の場合」に対するＡ／Ｎと「ＰＤＣＣＨ無しで（ＳＰＳで）スケジュールされたＰＤＳＣＨ」に対するＡ／Ｎを時間領域でバンドリングして転送することができる。
【０２０１】
２−４．Ａ／Ｎは「Ａ／Ｎ応答を要求するＤＡＩ＝１のＰＤＣＣＨ」または「ＰＤＣＣＨでスケジュールされたＰＤＳＣＨがＰＣＣのみに１つ存在し、該当ＰＤＣＣＨのＤＡＩ＝１の場合」に対するＡ／Ｎを空間バンドリングし、「ＰＤＣＣＨ無しで（ＳＰＳで）スケジュールされたＰＤＳＣＨ」に対するＡ／Ｎを空間バンドリングして２ビットで転送する。各Ａ／Ｎは予め定まった星状点（constellation point）にマッピングされる（例えば、前者はI-phase、後者はQ-phaseにマッピング）。追加的にＰＤＣＣＨを受信できない場合を考慮して、ｉｉ）、ｉｉｉ）の場合に対してＡ／Ｎを空間バンドリングして指定された（例えば、I-phase）星状点にマッピングし、ｉ）の場合に対し、Ａ／Ｎを空間バンドリングして指定された（例えば、Q-phase）星状点にマッピングする。
【０２０２】
２−５．Ａ／Ｎは各ＣＣの各ＤＬサブフレームのＡ／Ｎを空間バンドリングし、追加的に時間領域バンドリングされた形態に転送できる。時間領域バンドリングは、ＰＣＣ（ＳＰＳがＳＣＣにも設定が可能であれば、ＰＣＣだけでなくＳＣＣも含まれて周波数領域バンドリングまで拡張できる）全体に対する、時間バンドリング、ＡＣＫカウンタ、連続的ＡＣＫカウンタを含むことができる。
【０２０３】
または、ｉ）からｉｖ）に対し、次のような方法を適用することもできる。
【０２０４】
サブフレームｎがノーマルＣＰを使用する場合、ＣＳＩはＰＵＣＣＨフォーマット２で転送し、Ａ／ＮはＰＵＣＣＨフォーマット２の参照信号シンボル変調を通じて転送する。即ち、ＰＵＣＣＨフォーマット２ａ／２ｂを使用してＣＳＩとＡＮを転送する。そして、サブフレームｎが拡張ＣＰを使用する場合、ＣＳＩとＡ／ＮとをジョイントコーディングしてＰＵＣＣＨフォーマット２で転送する。または、多重ＣＳＩ転送が設定された場合、またはＣＳＩのみの転送のためにＰＵＣＣＨフォーマット３の割当を受けた場合には、ＰＵＣＣＨフォーマット３を使用してＣＳＩとＡ／Ｎとを同時転送することができる。ここで、Ａ／Ｎは各ＣＣの各ＤＬサブフレームのＡ／Ｎを空間バンドリングしたものでありうる。また、追加的に時間領域バンドリングされた形態でありうる（方法１−１）。
【０２０５】
ｖ）ｉ）からｉｖ）の以外の場合（これは、ＰＵＣＣＨフォーマット３の選択のためのＡＲＩをＰＤＣＣＨから受信することができる場合と定義されることもできる）。この時はＰＵＣＣＨフォーマット３を通じてＣＳＩとＡ／Ｎとを多重化して転送する。ここで、Ａ／ＮはＤＬ ＣＣ別にバンドリングされた形態に転送できる（方法３）。
【０２０６】
上記ＣＳＩは、複数または１つのＤＬ ＣＣに対するＣＳＩでありうる。複数のＤＬ ＣＣに対するＣＳＩの転送が許容された場合、複数のＣＳＩが衝突するサブフレームで、ｉ）からｉｖ）の場合、１つのＤＬ ＣＣに対するＣＳＩのみを選択し、残りはドロップして各々方法１または方法２、方法２−１、２−２、２−３、２−４、２−５の方法やｉ）~ｉｖ）に対する統合方法である方法１−１でのＰＵＣＣＨフォーマット２または３系列を適用した方法を使用することができる。または、複数（例えば、２つ、場合によって一部ＣＳＩがドロップされることがある）のＣＳＩを方法１または方法２、２−１、２−２、２−３、２−４、２−５、または方法１−１でのＰＵＣＣＨフォーマット３系列を適用した方法を使用し、ｖ）の場合、方法３（即ち、Ａ／Ｎと複数のＣＳＩを転送）を使用することができる。また、単一ＣＳＩが発生したサブフレームではＰＵＣＣＨフォーマット２系列を使用し、多重ＣＳＩが発生したサブフレームではＰＵＣＣＨフォーマット３系列を使用してＡ／ＮをＣＳＩと多重化する方法も考慮することができる。
【０２０７】
３）ＴＤＤで複数のセルに対するＡ／Ｎ転送のためにＰＵＣＣＨフォーマット１ａ／１ｂチャンネル選択が設定される場合。
【０２０８】
ＤＬ ＣＣに対するＣＳＩを転送するＵＬサブフレーム（例：サブフレームｎ）でＡ／Ｎ転送が必要であり、このＵＬサブフレームに対応するＤＬサブフレーム（例：サブフレームｎ−ｋ、ｋ∈Ｋ、Ｋは３ＧＰＰ ＴＳ３６．２１３．Ｖ１０、Evolved Universal Terrestrial Radio Access（Ｅ−ＵＴＲＡ）：physical layer procedures（Release 10）のテーブル１０．１．３．１−１に定義され、Ｍ個の要素、即ち｛ｋ0，ｋ1，．．．，ｋM-1｝で構成された集合）に、ｉ）ＰＣＣのみでＰＤＳＣＨまたはＡ／Ｎ応答が必要なＰＤＣＣＨを受信した場合、ＰＵＣＣＨフォーマット２ｂでＣＳＩとＡ／Ｎとを多重化して転送することができる。ここで、ＰＣＣの複数個のＤＬサブフレームに対するＡ／Ｎはバンドリングされた形態でありうる（方法１）。
【０２０９】
ｉｉ）その以外の場合（即ち、ＳＣＣでのＰＤＳＣＨ受信に対するＡ／Ｎが存在する場合）には、ＰＵＣＣＨフォーマット３でＣＳＩとＡ／Ｎとを多重化して転送することができる。この時のＡ／ＮはＤＬ ＣＣ別にバンドリングされた形態でありうる（方法２）。
【０２１０】
また、上記ＣＳＩは複数または１つのＤＬ ＣＣに対するＣＳＩでありうる。複数のＤＬ ＣＣに対するＣＳＩの転送が許容された場合、複数のＣＳＩが衝突するサブフレームにおいて、ｉ）の場合、１つのＤＬ ＣＣに対するＣＳＩのみ選択し、残りはドロップして方法１でのＰＵＣＣＨフォーマット２、３系列を適用することができる。複数のＣＳＩを方法１でのＰＵＣＣＨフォーマット３系列を適用した方法を使用し、ｉｉ）の場合には方法２を使用することもできる。また、単一ＣＳＩが発生したサブフレームではＰＵＣＣＨフォーマット２系列を使用し、多重ＣＳＩが発生したサブフレームではＰＵＣＣＨフォーマット３系列を使用してＡ／ＮをＣＳＩと多重化する方法も考慮することができる。
【０２１１】
４．Ａ／ＮとＳＲとの同時転送（衝突）時の転送方法。
１）ＦＤＤで多重セルに対するＡ／Ｎ転送のためにＰＵＣＣＨフォーマット３が使われるように設定された場合。
【０２１２】
ＵＬサブフレーム（例えば、サブフレームｎ）がＳＲを転送するように予定されたＳＲサブフレームであり、Ａ／Ｎ転送が必要であり、このＵＬサブフレームに対応するＤＬサブフレーム（例えば、サブフレームｎ−ｋ、ｋ＝４）に、ｉ）１つのＰＤＳＣＨがＰＣＣのみに存在し、ＰＤＣＣＨ無しでスケジューリングされた場合（例えば、ＳＰＳでスケジューリングされたＰＤＳＣＨ）、ｉｉ）１つのＰＤＳＣＨがＰＣＣのみに存在し、ＰＤＣＣＨを介してスケジューリングされた場合、またはｉｉｉ）１つのＰＤＣＣＨがＰＣＣのみに存在し、該当ＰＤＣＣＨがＡ／Ｎ応答を必要とする場合（例えば、ダウンリンクＳＰＳ解除ＰＤＣＣＨ）には、ＳＲが正（positive）のＳＲの場合、正のＳＲ用にＲＲＣメッセージにより割り当てられたＰＵＣＣＨフォーマット１ａ／１ｂでＡ／Ｎを転送し、負（negative）のＳＲの場合、Ａ／Ｎのみ転送する時と同一な転送方法を使用する。
【０２１３】
ｉｖ）ｉ）からｉｉｉ）の以外の場合には、ＰＵＣＣＨフォーマット３でＡ／ＮとＳＲビットとを多重化して転送する。
【０２１４】
２）ＦＤＤで多重セルに対するＡ／Ｎ転送のためにＰＵＣＣＨフォーマット１ａ／１ｂチャンネル選択使用が設定された場合。
【０２１５】
ＵＬサブフレーム（例えば、サブフレームｎ）がＳＲを転送するように予定されたＳＲサブフレームであり、Ａ／Ｎ転送が必要であり、このＵＬサブフレームで転送するＳＲが正のＳＲの場合には、正のＳＲ用にＲＲＣメッセージにより割り当てられたＰＵＣＣＨフォーマット１ｂで各ＤＬ ＣＣ別に空間バンドリングを適用したＡ／Ｎ（２ビット）を転送し、負（negative）のＳＲの場合、Ａ／Ｎのみ転送する時と同一な転送方法を使用する。
【０２１６】
３）ＴＤＤで複数のセルに対するＡ／Ｎ転送のためにＰＵＣＣＨフォーマット３が設定される場合。
【０２１７】
ＵＬサブフレーム（例：サブフレームｎ）がＳＲ転送が予定されたＳＲサブフレームであり、Ａ／Ｎ転送が必要であり、このＵＬサブフレームに対応するＤＬサブフレーム（例：サブフレームｎ−ｋ、ｋ∈Ｋ、Ｋは３ＧＰＰ ＴＳ３６．２１３．Ｖ１０、Evolved Universal Terrestrial Radio Access（Ｅ−ＵＴＲＡ）：physical layer procedures（Release 10）のテーブル１０．１．３．１−１に定義され、Ｍ個の要素、即ち｛ｋ0，ｋ1，．．．，ｋM-1｝で構成された集合）に、ｉ）ＰＤＣＣＨ無しでスケジューリングされたＰＤＳＣＨがＰＣＣのみに１つ存在し、Ａ／Ｎ応答を要求するＰＤＣＣＨがない時、ｉｉ）ＰＤＣＣＨでスケジューリングされたＰＤＳＣＨがＰＣＣのみに１つ存在し、該当ＰＤＳＣＨのＤＡＩ＝１の場合、ｉｉｉ）Ａ／Ｎ応答を要求するＤＡＩ＝１のＰＤＣＣＨ（例えば、ダウンリンクＳＰＳ解除ＰＤＣＣＨ、以下、同一）が１つ存在し、ＰＤＳＣＨがない時、またはｉｖ）「Ａ／Ｎ応答を要求するＤＡＩ＝１のＰＤＣＣＨが存在するか」または「ＰＤＣＣＨでスケジューリングされたＰＤＳＣＨがＰＣＣのみに１つ存在し、該当ＰＤＣＣＨのＤＡＩ＝１」、ＰＤＣＣＨ無しでスケジューリングされたＰＤＳＣＨが１つある時は、ＳＲが正（positive）のＳＲの場合、正のＳＲ用にＲＲＣメッセージにより割り当てられたＰＵＣＣＨフォーマット１ａ／１ｂで各ＤＬ ＣＣの各ＤＬサブフレームに対するＡ／Ｎを空間バンドリング（時間領域バンドリングも可能）して転送し、負（negative）のＳＲの場合、Ａ／Ｎのみ転送する時と同一な転送方法を使用する（方法１）。
【０２１８】
方法１はＰＵＣＣＨフォーマット３資源選択のためのＡＲＩをＰＤＣＣＨから受信できない場合に使われることと定めることもできる。
【０２１９】
ｖ）ｉ）からｉｖ）の以外の場合にはＰＵＣＣＨフォーマット３を通じてＡ／ＮとＳＲビットを多重化して転送する。ｖ）は、ＰＵＣＣＨフォーマット３資源選択のためのＡＲＩをＰＤＣＣＨから受信することができる場合ということができる。
【０２２０】
４）ＴＤＤで複数のセルに対するＡ／Ｎ転送のためにＰＵＣＣＨフォーマット１ａ／１ｂチャンネル選択が設定される場合。
【０２２１】
ＳＲが正（positive）のＳＲの場合、正のＳＲ用にＲＲＣメッセージにより割り当てられたＰＵＣＣＨフォーマット１ａ／１ｂで各ＤＬ ＣＣの各ＤＬサブフレームに対するＡ／Ｎを空間バンドリング（時間領域バンドリング／周波数領域バンドリングも可能、ＰＣＣ及びＳＣＣ全体に対して時間バンドリング、ＡＣＫカウンタ、連続的ＡＣＫカウンタなどを適用することができる）して転送し、負（negative）のＳＲの場合、Ａ／Ｎのみ転送する時と同一な転送方法を使用する。
【０２２２】
５．ＳＲとＣＳＩとの同時転送（衝突）時の転送方法。
１）ＳＲサブフレームで正のＳＲと周期的ＣＳＩ転送とが衝突し、ＰＵＳＣＨ転送があり、ＰＵＣＣＨ／ＰＵＳＣＨ同時転送が設定された場合、ＰＵＳＣＨでＣＳＩをピギーバックすることができる。その以外の場合、ＣＳＩをドロップし、正のＳＲ用にＲＲＣメッセージにより割り当てられたＰＵＣＣＨフォーマット１でＳＲを転送する。負のＳＲの場合、ＣＳＩのみ発生した時の転送方法に従う。
【０２２３】
２）ＳＲサブフレームでは、ＰＵＣＣＨフォーマット３でＳＲビットとＣＳＩとを多重化して転送する。特に、この際、ＰＵＣＣＨフォーマット３資源は周期的ＣＳＩ転送周期に該当するサブフレームに対応するＤＬサブフレームのＰＤＣＣＨからＡＲＩを受信できなかった場合のＣＳＩ転送のためにＲＲＣに割り当てられた資源を使用する。二重ＲＭ（Dual RM）や単一ＲＭ（single RM）コーディングを使用する場合、ＳＲのためのビット（例：１ビット）を先に配置（ＭＳＢに）し、ＣＳＩを以後に配置することができる。単一ＣＳＩの転送時（これは、多重ＣＳＩの衝突によって１つのＣＳＩのみ残った場合も該当）ＰＵＣＣＨフォーマット２を使用する場合、ＳＲビットとＣＳＩとを多重化してＰＵＣＣＨフォーマット２で転送することもできる。
【０２２４】
１）及び２）は、ｍＡ／Ｎのみを転送するためにＰＵＣＣＨフォーマット１ｂチャンネル選択の設定を受けた場合と、ＰＵＣＣＨフォーマット３の設定を受けた場合に適用できる。
【０２２５】
６．Ａ／Ｎ、ＳＲ、及びＣＳＩの同時転送（衝突）時の転送方法。
１）ＦＤＤ／ＴＤＤでＵＬサブフレーム（例：サブフレームｎ）がＳＲサブフレームであると共に、ＤＬ ＣＣに対する周期的ＣＳＩ転送周期と重なり、Ａ／Ｎ転送を必要とする場合。
【０２２６】
ＳＲが正のＳＲの場合、ＣＳＩをドロップし、上述したＡ／ＮとＳＲとの衝突発生時の転送方法に従う。ＳＲが負のＳＲの場合、上述したＡ／ＮとＣＳＩとの衝突発生時の転送方法に従う。
【０２２７】
２）ＦＤＤ／ＴＤＤでＵＬサブフレーム（例：サブフレームｎ）がＳＲサブフレームであると共に、ＤＬ ＣＣに対する周期的ＣＳＩ転送周期と重なり、Ａ／Ｎ転送を必要とする場合であるが、Ａ／ＮとＣＳＩの転送のためにＰＵＣＣＨフォーマット３が使われる場合、Ａ／ＮとＳＲビットとＣＳＩとを多重化して転送する。その以外の場合、ＳＲが正のＳＲの場合、ＣＳＩをドロップし、上述したＡ／ＮとＳＲとの衝突発生時の転送方法に従う。ＳＲが負のＳＲの場合、上述したＡ／ＮとＣＳＩとの衝突発生時の転送方法に従う。各場合を分けて説明する。
【０２２８】
２−１）ＦＤＤで多重セルに対するＡ／Ｎ転送のためにＰＵＣＣＨフォーマット３使用の設定を受けた場合：ＵＬサブフレーム（例：サブフレームｎ）がＳＲサブフレームであると共に、ＤＬ ＣＣに対する周期的ＣＳＩ転送周期と重なり、Ａ／Ｎ転送が必要であり、ＵＬサブフレームに対応するＤＬサブフレーム（例：サブフレームｎ−ｋ、ｋ＝４）に、ｉ）１つのＰＤＳＣＨがＰＣＣのみに存在し、ＰＤＣＣＨ無しで（ＳＰＳで）スケジュールされた時、またはｉｉ）１つのＰＤＳＣＨがＰＣＣのみに存在し、ＰＤＣＣＨでスケジュールされた時、またはｉｉｉ）１つのＰＤＣＣＨがＰＣＣのみに存在し、該当ＰＤＣＣＨがＡ／Ｎ応答を必要とする時（ｅｘ．ダウンリンクＳＰＳ解除ＰＤＣＣＨ）に次の方法を適用することができる。即ち、ＳＲが正のＳＲの場合、ＣＳＩをドロップし、正のＳＲ用にＲＲＣで割り当てられたＰＵＣＣＨフォーマット１ａ／１ｂを通じてＡ／Ｎを転送する。ＳＲが負のＳＲの場合、上述したＡ／ＮとＣＳＩとの衝突発生時の転送方法と同一に転送する。この方法はＰＵＣＣＨフォーマット３の選択のためのＡＲＩをＰＤＣＣＨから受信できない場合に使われることと定義されることもできる。
【０２２９】
ｉｖ）以外の場合（即ち、ＰＵＣＣＨフォーマット３資源選択のためのＡＲＩ受信が可能な場合）、ＰＵＣＣＨフォーマット３を通じてＡ／ＮとＳＲビット及びＣＳＩを多重化して転送する。この方法はＰＵＣＣＨフォーマット１ａ／１ｂチャンネル選択使用の設定を受けた場合にも適用できる。
【０２３０】
２−２）ＦＤＤで多重セルに対するＡ／Ｎ転送のためにＰＵＣＣＨフォーマット１ａ／１ｂチャンネル選択使用の設定を受けた場合：ＵＬサブフレーム（例：サブフレームｎ）がＳＲサブフレームであると共に、ＤＬ ＣＣに対する周期的ＣＳＩ転送周期と重なり、Ａ／Ｎ転送が必要であり、このＵＬサブフレームで転送するＳＲが正のＳＲの場合、ＣＳＩをドロップし、正のＳＲ用にＲＲＣで割り当てられたＰＵＣＣＨフォーマット１ｂに各ＤＬ ＣＣ別に空間バンドリングを適用したＡ／Ｎ（２ｂｉｔ）をマッピングして転送する。ＳＲが負のＳＲの場合、上述したＡ／ＮとＣＳＩとの衝突発生時の転送方法と同一に転送する。このような方法は、前述したｉ）、ｉｉ）、ｉｉｉ）条件と同一な場合のみに適用し、ｉｖ）条件と同一な場合にはＰＵＣＣＨフォーマット３を通じてＡ／Ｎ、ＳＲビット、及びＣＳＩを多重化して転送することができる。
【０２３１】
２−３）ＴＤＤで多重セルのためのＡ／Ｎ転送のためにＰＵＣＣＨフォーマット３使用の設定を受けた場合：ＵＬサブフレーム（例：サブフレームｎ）がＳＲサブフレームであると共に、ＤＬ ＣＣに対する周期的ＣＳＩ転送周期と重なり、Ａ／Ｎの転送が必要であり、このＵＬサブフレームに対応するＤＬサブフレーム（例：サブフレームｎ−ｋ、ｋ∈Ｋ、Ｋは３ＧＰＰ ＴＳ３６．２１３．Ｖ１０、Evolved Universal Terrestrial Radio Access（Ｅ−ＵＴＲＡ）：physical layer procedures（Release 10）のテーブル１０．１．３．１−１に定義され、Ｍ個の要素、即ち｛ｋ0，ｋ1，．．．，ｋM-1｝で構成された集合）に、ｉ）ＰＤＣＣＨ無しでスケジューリングされたＰＤＳＣＨがＰＣＣのみに１つ存在し、Ａ／Ｎ応答を要求するＰＤＣＣＨがない時、ｉｉ）ＰＤＣＣＨでスケジューリングされたＰＤＳＣＨがＰＣＣのみに１つ存在し、該当ＰＤＳＣＨのＤＡＩ＝１の場合、ｉｉｉ）Ａ／Ｎ応答を要求するＤＡＩ＝１のＰＤＣＣＨ（例えば、ダウンリンクＳＰＳ解除ＰＤＣＣＨ、以下、同一）が１つ存在し、ＰＤＳＣＨがない時、またはｉｖ）「Ａ／Ｎ応答を要求するＤＡＩ＝１のＰＤＣＣＨが存在するか」または「ＰＤＣＣＨでスケジューリングされたＰＤＳＣＨがＰＣＣのみに１つ存在し、該当ＰＤＣＣＨのＤＡＩ＝１」、ＰＤＣＣＨ無しでスケジューリングされたＰＤＳＣＨが１つある時は、ＳＲが正（positive）のＳＲの場合、ＣＳＩをドロップし、上述したＡ／ＮとＣＳＩとの衝突発生時の転送方法と同一な方法を使用する。即ち、正のＳＲ用にＲＲＣメッセージにより割り当てられたＰＵＣＣＨフォーマット１ａ／１ｂで各ＤＬ ＣＣの各ＤＬサブフレームに対するＡ／Ｎを空間バンドリング（時間領域バンドリングも可能、ＰＣＣ及びＳＣＣも含んで周波数領域バンドリングも可能）して転送し、負（negative）のＳＲの場合、Ａ／ＮとＣＳＩとの衝突発生時の転送方法と同一な方法を使用する。この方法は、ＰＵＣＣＨフォーマット３資源選択のためのＡＲＩをＰＤＣＣＨから受信できない場合に使われることと定めることもできる。
【０２３２】
ｖ）ｉ）からｉｖ）の以外の場合にはＰＵＣＣＨフォーマット３を通じてＡ／ＮとＳＲビット、及びＣＳＩを多重化して転送する。
【０２３３】
２−４）ＴＤＤで多重セルに対するＡ／Ｎ転送のためにＰＵＣＣＨフォーマット１ａ／１ｂチャンネル選択使用の設定を受けた場合：ＵＬサブフレーム（例：サブフレームｎ）がＳＲサブフレームであると共に、ＤＬ ＣＣに対する周期的ＣＳＩ転送周期と重なり、Ａ／Ｎの転送が必要であり、このＵＬサブフレームで転送されるＳＲが正のＳＲの場合、ＣＳＩをドロップし、正のＳＲ用にＲＲＣで割り当てられたＰＵＣＣＨフォーマット１ｂを通じてＰＣＣとＳＣＣのＡ／Ｎを転送することができる。ここで、Ａ／Ｎはバンドリングされた形態に転送できる。（例えば、ＰＣＣとＳＣＣ全体に対する、時間バンドリング、ＡＣＫカウンタ、連続的ＡＣＫカウンタなど）、ＳＲが負のＳＲの場合、上述したＡ／ＮとＣＳＩとの衝突発生時の転送方法と同一に転送できる。この方法は、前述したｉ）からｉｖ）条件と同一な場合のみに適用し、ｖ）条件と同一な場合にはＰＵＣＣＨフォーマット３を通じてＡ／ＮとＳＲビット、及びＣＳＩを多重化して転送することができる。
【０２３４】
前述したＳＲとＣＳＩとの衝突またはＡ／Ｎ、ＳＲ、及びＣＳＩの衝突時の転送方法において、ＡＲＩをＰＤＣＣＨから受信できない場合、ＣＳＩの転送のために予め指定されたＰＵＣＣＨフォーマット２を使用すれば、ＳＲサブフレームで次のような方式が適用できる。
【０２３５】
上記方式のように、ＡＲＩをＰＤＣＣＨから受信できない場合、１）ＳＲサブフレームで転送するＳＲが正のＳＲの場合、ＣＳＩをドロップし、正のＳＲ用にＲＲＣで割り当てられたＰＵＣＣＨフォーマット１／１ａ／１ｂにＳＲ及び／又はＡ／Ｎを転送する。または、２）ＳＲサブフレームでＳＲビットとＣＳＩをＣＳＩ転送のために使われるＰＵＣＣＨフォーマット２に多重化（例えば、ジョイントコーディング）して転送する。この際、ＳＲビットとＣＳＩとの和が特定ビット数（例えば、ＰＵＣＣＨフォーマット２／２ａ／２ｂが転送することができる最大ビット数、１１ビットまたは１３ビット）を超過する時は、ＣＳＩをドロップし、ＰＵＣＣＨフォーマット２／２ａ／２ｂに（Ａ／Ｎがあれば）Ａ／ＮとＳＲのみ転送するか、または１）のような方式を使用することができる。
【０２３６】
または、前述したＳＲとＣＳＩとの衝突時、またはＡ／Ｎ、ＳＲ、及びＣＳＩの衝突時の転送方法において、ＡＲＩをＰＤＣＣＨから受信できない場合、複数のＣＳＩの転送のために予め指定されたＰＵＣＣＨフォーマット３を使用する場合、ＳＲサブフレームで次のような方式が適用できる。
【０２３７】
１）ＡＲＩをＰＤＣＣＨから受信できない場合、ＳＲサブフレームで転送するＳＲが正のＳＲの場合、ＣＳＩをドロップし、正のＳＲ用にＲＲＣで割り当てられたＰＵＣＣＨフォーマット１／１ａ／１ｂを通じてＳＲ及び／又はＡ／Ｎを転送する。
【０２３８】
または、２）ＳＲサブフレームでＳＲビットとＣＳＩを、ＣＳＩ転送のために使われるＰＵＣＣＨフォーマット３に多重化して転送する。この際、ＳＲビットとＣＳＩとの和が特定ビット数（例えば、ＰＵＣＣＨフォーマット３で転送することができる最大ビット数、２２ビット）を超過する時は、一部ＣＳＩをドロップし、ＰＵＣＣＨフォーマット３に（Ａ／Ｎがあれば）Ａ／ＮとＳＲ、単一ＣＳＩを多重化して転送するか、または１）のような方式を使用する。
【０２３９】
前述した空間バンドリングとは、１つのＰＤＳＣＨで２つのコードワードが転送される場合、各コードワードに対するＡ／Ｎを論理的ＡＮＤ演算を通じて圧縮することを意味することができる。１コードワードのみ転送されるか、または１つのＡ／Ｎを要求するＰＤＣＣＨの場合、Ａ／Ｎに対する空間バンドリングは適用される必要がない。
【０２４０】
（Ａ／ＮとＣＳＩとの同時転送時、ＰＵＣＣＨフォーマット資源のためのＡＲＩの検出）
ＦＤＤ／ＴＤＤでＡ／Ｎ（及び／又はＳＲビット）とＣＳＩとの多重化のためのＰＵＣＣＨフォーマット（以後、説明の便宜のためにＰＵＣＣＨフォーマットＡＣと称する。例えば、ＰＵＣＣＨフォーマット３がＰＵＣＣＨフォーマットＡＣになることができる）を使用する時、資源選択の柔軟性のために複数（４個）の資源集合をＲＲＣで端末に半静的（semi-static）に割り当てた後、ＰＤＣＣＨのＡＲＩ（(A/N resource indicator or PUCCH Resource Value for HARQ-ACK Resource for PUCCH、２ビット）を通じて割り当てた資源集合のうちの１つの資源を動的に指示することができる。このために、基地局は特定ＰＤＣＣＨのＴＰＣフィールドをＡＲＩに借用するが、より詳しくは、次の通りである。
【０２４１】
ＦＤＤで端末が多重セルに対するＡ／Ｎ転送のためにＰＵＣＣＨフォーマット３の使用の設定を受けるか、多重セルに対するＡ／Ｎ転送のためにＰＵＣＣＨフォーマット１ａ／１ｂチャンネル選択使用の設定を受けることができる。この場合、ＳＣＣに転送されるＰＤＳＣＨのＡ／Ｎが転送されるＵＬサブフレーム（サブフレームｎ）で、ＤＬ ＣＣに対する周期的ＣＳＩが転送されるように設定された場合、該当ＰＤＳＣＨに対応するＤＬサブフレーム（サブフレームｎ−ｋ（ｋ＝４））に位置したＰＤＣＣＨのＴＰＣ（transmission power control）フィールドはＰＵＣＣＨフォーマットＡＣの選択を指示するＡＲＩに使用できる。
【０２４２】
ＴＤＤで多重セルに対するＡ／Ｎ転送のためにＰＵＣＣＨフォーマット３使用の設定を受けた場合、または多重セルに対するＡ／Ｎ転送のためにＰＵＣＣＨフォーマット１ａ／１ｂチャンネル選択使用の設定を受けた場合：
【０２４３】
１）「ＰＣＣで転送される、１より大きいＤＡＩ値を有するＰＤＣＣＨでスケジュールされるＰＤＳＣＨに対するＡ／Ｎ」または「Ａ／Ｎ応答が必要な、１より大きいＤＡＩ値を有するＰＤＣＣＨ（例：ダウンリンクＳＰＳ解除を知らせるＰＤＣＣＨ）に対するＡ／Ｎ」が転送されるＵＬサブフレーム（サブフレームｎ）において、ＤＬ ＣＣに対する周期的ＣＳＩが転送されるように設定された場合、ＤＬサブフレーム（サブフレームｎ−ｋ（ここで、ｋ∈Ｋ、Ｋは３ＧＰＰ ＴＳ３６．２１３．Ｖ１０、Evolved Universal Terrestrial Radio Access（Ｅ−ＵＴＲＡ）：physical layer procedures（Release 10）のテーブル１０．１．３．１−１に定義され、Ｍ個の要素、即ち｛ｋ0，ｋ1，．．．，ｋM-1｝で構成された集合）に位置した、該当ＰＤＣＣＨのＴＰＣフィールドはＰＵＣＣＨフォーマットＡＣの選択を指示するＡＲＩに使用できる。
【０２４４】
２）ＳＣＣで転送されるＰＤＳＣＨのＡ／Ｎが転送されるＵＬサブフレーム（サブフレームｎ）にＤＬ ＣＣに対する周期的ＣＳＩが転送されるように設定された場合、該当ＰＤＳＣＨに対応する、ＤＬサブフレーム（サブフレームｎ−ｋ（ここで、ｋ∈Ｋ、Ｋは３ＧＰＰ ＴＳ３６．２１３．Ｖ１０、Evolved Universal Terrestrial Radio Access（Ｅ−ＵＴＲＡ）：physical layer procedures（Release 10）のテーブル１０．１．３．１−１に定義され、Ｍ個の要素、即ち｛ｋ0，ｋ1，．．．，ｋM-1｝で構成された集合））に位置した、ＰＤＣＣＨのＴＰＣフィールドはＰＵＣＣＨフォーマットＡＣの選択を指示するＡＲＩに使用できる。
【０２４５】
ＴＤＤで多重セルに対するＡ／Ｎ転送のためにＰＵＣＣＨフォーマット１ａ／１ｂチャンネル選択使用の設定を受けた場合：前述した方法と異なる方法を適用することができる。即ち、ＳＣＣで転送されるＰＤＳＣＨのＡ／Ｎが転送されるＵＬサブフレーム（サブフレームｎ）でＤＬ ＣＣに対する周期的ＣＳＩが転送されるように設定された場合、該当ＰＤＳＣＨに対応するＤＬサブフレームｎ−ｋ（ここで、ｋ∈Ｋ、Ｋは３ＧＰＰ ＴＳ３６．２１３．Ｖ１０、Evolved Universal Terrestrial Radio Access（Ｅ−ＵＴＲＡ）：physical layer procedures（Release 10）のテーブル１０．１．３．１−１に定義され、Ｍ個の要素、即ち｛ｋ0，ｋ1，．．．，ｋM-1｝で構成された集合））に位置したＰＤＣＣＨのＴＰＣフィールドはＰＵＣＣＨフォーマットＡＣの選択を指示するＡＲＩに使用できる。
【０２４６】
比交差搬送波スケジューリング（non-cross-carrier scheduling）時、Ａ／Ｎ転送のためにＰＵＣＣＨフォーマット１ａ／１ｂチャンネル選択使用の設定を受けた場合、Ａ／Ｎ転送のみ要求される（即ち、周期的ＣＳＩ転送周期のサブフレームでない）ＵＬサブフレームｎに対応するＤＬサブフレームｎ−ｋに位置したＰＤＣＣＨのＡＲＩはチャンネル選択のためのＰＵＣＣＨフォーマット１ａ／１ｂ資源の選択を指示する一方、Ａ／ＮとＣＳＩとの同時転送が要求されるＵＬサブフレームｎに対応するＤＬサブフレームｎ−ｋに位置したＰＤＣＣＨのＡＲＩはＡ／ＮとＣＳＩとの多重化転送のためのＰＵＣＣＨフォーマットＡＣ（例：ＰＵＣＣＨフォーマット３）の資源を指示する。
【０２４７】
また、Ａ／Ｎ転送のためにＰＵＣＣＨフォーマット１ａ／１ｂチャンネル選択使用の設定を受けた場合であり、交差搬送波スケジューリング（cross-carrier scheduling）時にはＡ／Ｎ転送のみ要求されるＵＬサブフレームｎに対応するＤＬサブフレームｎ−ｋに位置したＰＤＣＣＨにＡＲＩが存在しないが、Ａ／ＮとＣＳＩとの同時転送が要求されるＵＬサブフレームｎに対応するＤＬサブフレームｎ−ｋに位置したＰＤＣＣＨにはＡ／ＮとＣＳＩとの同時転送用ＰＵＣＣＨフォーマットＡＣの資源を指示するＡＲＩが存在するようになる。
【０２４８】
一方、ＰＵＣＣＨフォーマットＡＣがＰＵＳＣＨの構造を借用するものであれば、このためのＰＣ（power control）はデータ転送のためのＰＵＳＣＨ ＰＣを用いることができる。したがって、既存ＰＵＣＣＨフォーマット３のＴＰＣフィールド運用（一部ＴＰＣはＴＰＣに使用し、残りの場合のみにＡＲＩに借用する）とは異なり、全てのセルのＰＤＳＣＨをスケジュールする（または、ダウンリンクＳＰＳ解除）ＰＤＣＣＨのＴＰＣはＡＲＩに使用できる。または、ＡＲＩはＡ／Ｎ転送のためのＰＵＣＣＨフォーマットに使われる互いに異なる種類のＰＵＣＣＨフォーマットを直接指示することもできる。このような場合にはＡＲＩが同一なＰＵＣＣＨフォーマットの資源インデックスを指示するだけでなくＰＵＣＣＨフォーマット１ａ／１ｂ、ＰＵＣＣＨフォーマット２、ＰＵＣＣＨフォーマット３、ＰＵＣＣＨフォーマットＡＣなど、予めＲＲＣに指定されたフォーマットのうち、どのＰＵＣＣＨフォーマットを使用するかを選択することができる。
【０２４９】
（ＣＳＩとＳＲＳとの同時転送）
既存ＬＴＥ−Ａ Ｒｅｌ−１０では、ＳＲＳとＣＳＩ転送のためのＰＵＣＣＨフォーマット２／２ａ／２ｂの同一なサブフレームでの同時転送は許容されず、条件によって２つのうちの１つがドロップされ、１つのみ転送される方式が適用された。これは、ＰＵＣＣＨフォーマット２／２ａ／２ｂの場合、ＰＵＣＣＨフォーマット１や３とは異なり、ＳＣ−ＦＤＭＡシンボルに直交カバー（Orthogonal cover）が適用されて反復的なコーディングされたビット（coded bit）が転送されず、各ＳＣ−ＦＤＭＡシンボルには互いに異なるコーディングされたビットが乗せて転送されるため、ＳＲＳの転送と衝突を避けるための縮小（shortened）フォーマットを作ることができないためである。
【０２５０】
一方、多重ＣＳＩの同時転送のためにＰＵＣＣＨフォーマット３やＰＵＳＣＨの構造を使用する場合、または単一ＣＳＩ転送のためにＰＵＣＣＨフォーマット３を使用する場合、ＳＲＳとの衝突を避けるための縮小フォーマットの構成が可能である。したがって、次のようなＳＲＳ、ＣＳＩ転送方式を適用することができる。
【０２５１】
１）（縮小ＰＵＣＣＨフォーマット３を使用しない時）周期的に設定されたタイプ０ ＳＲＳの場合にはＣＳＩ転送と同一なサブフレームで衝突時に常にＳＲＳをドロップし、非周期的にトリガーリング（triggering）されるタイプ１ ＳＲＳの場合にはＣＳＩ転送と同一なサブフレームで衝突時、ＣＳＩが転送されるＰＵＣＣＨフォーマット（ＰＵＣＣＨフォーマット３系列）のＨＡＲＱ−ＡＣＫ転送を含むか否かによって、ＨＡＲＱ−ＡＣＫ転送が発生しない場合、ＣＳＩはドロップされ、ＳＲＳ転送が選択され、ＨＡＲＱ−ＡＣＫ転送を含む時、ＳＲＳはドロップされ、ＣＳＩとＨＡＲＱ−ＡＣＫがＰＵＣＣＨフォーマット３で転送される。ここで、ＨＡＲＱ−ＡＣＫ転送が発生しなくてもＨＡＲＱ−ＡＣＫビットフィールドをＰＵＣＣＨフォーマット３に留保（reservation）する場合、常にＰＵＣＣＨを転送し、ＳＲＳをドロップすることができる。
【０２５２】
２）（縮小ＰＵＣＣＨフォーマット３の使用が設定された時、例えば「ackNackSRS-SimultaneousTransmission」=TRUEの場合）周期的に設定された全てのタイプのＳＲＳをＣＳＩ転送と同一なサブフレームで衝突時、ＣＳＩの転送のために縮小ＰＵＣＣＨフォーマット３を使用して転送し、該当サブフレームの最後のＳＣ−ＦＤＭシンボルにＳＲＳを転送する。この方法は、ＰＵＣＣＨフォーマット３にＣＳＩと共にＨＡＲＱ−ＡＣＫ転送が含まれた場合や含まれていない時に全て適用される。セル特定的（cell-specific）ＳＲＳサブフレームでは縮小ＰＵＣＣＨフォーマット３は常に使用できる。ここで、例外的に単一ＣＳＩのみ発生する時、ＰＵＣＣＨフォーマット２／２ａ／２ｂが使われれば、前述した１）のようにＣＳＩ、ＳＲＳのうちの１つのみ選択的に転送される。
【０２５３】
前述した２）の動作は「ackNackSRS-SimultaneousTransmission」=TRUEであると共に、多重ＣＳＩ転送が設定されるか（例えば、「multiCellCQI-R12」=TRUEの場合）、または、多重セルに対するＡ／ＮとＣＳＩ転送が設定された（例えば、「simultaneousAckNackAndCQI-R11」=TRUE and 「simultaneousAckNackAndCQI」=TRUEの場合）場合のみに遂行するように制限することができる。
【０２５４】
（端末の能力（capability）に従うＡ／ＮとＣＳＩとの同時転送設定適用）
既存ＬＴＥ−Ａ Ｒｅｌ−１０で、２つ以下のＦＤＤセルのみを集成（aggregation）することができる能力を有する端末はＡ／Ｎ転送のためにＰＵＣＣＨフォーマット３は具現しない。１つ以下のＴＤＤセルのみを集成することができる能力を有する端末はＡ／Ｎ転送のためにＰＵＣＣＨフォーマット３は具現しない。
【０２５５】
したがって、多重セル（具体的に、多重ＤＬ ＣＣ及び／又は多重サブフレーム）に対するＡ／Ｎ（及び／又はＳＲ）とＣＳＩとの同時転送が設定された時、同時転送のためのＰＵＣＣＨフォーマットｘ（ｘは例えば、３、３ａ、４…）の使用は端末の能力及び／又はＡ／Ｎ転送のためのＰＵＣＣＨフォーマットｘの設定か否かによって次の通り適用できる。
【０２５６】
１．端末能力に従う多重ＤＬ ＣＣに対するＡ／Ｎ（及び／又はＳＲ）とＣＳＩとの同時転送設定可否。
１）２つ超過の（ＦＤＤ）セルを集成することができる能力を有する端末のみに許容（ＦＤＤのみに該当、ＴＤＤは搬送波集成が可能な端末はＰＵＣＣＨフォーマット３が具現される）。これは、Ａ／Ｎのみを転送する時、ＰＵＣＣＨフォーマット３を具現しない端末の場合、Ａ／ＮとＣＳＩのためにＰＵＣＣＨフォーマット３を新しく具現しないようにして端末能力の多様性と複雑性を減らすためである。追加的に、該当端末で２つの（ＦＤＤ）セル以上の設定を受けた時のみに適用するように制限するか、または追加的に該当端末で３個の（ＦＤＤ）セル以上の設定を受けた時のみに適用するように制限することができる。
【０２５７】
２）セル集成（搬送波集成）を行なうことができる（即ち、２つ以上のセルを集成）能力を有する端末には許容する方法：即ち、多重Ａ／ＮとＣＳＩとの同時転送設定を２つのＦＤＤセルまで集成することができる端末にもＰＵＣＣＨフォーマット３の具現を許容するものである。ＦＤＤの場合、１つセル状況では単一ＤＬ ＣＣＡ／ＮとＣＳＩとの同時転送方法が存在するので、搬送波集成が許容されない端末には多重ＤＬ ＣＣに対するＡ／Ｎ（及び／又はＳＲ）とＣＳＩとの同時転送設定が必要でない。ＴＤＤの場合、１つＣＣ状況での多重サブフレームに対するＡ／ＮとＣＳＩとの同時転送は考慮せず、搬送波集成状況での多重ＤＬ ＣＣに対するＡ／ＮとＣＳＩとの同時転送のみを許容するようになる。これは、２つのＦＤＤセルまで集成することができる端末にも多重Ａ／ＮとＣＳＩとの同時転送を設定できるようにするためである。ここで、ＰＵＣＣＨフォーマット３の具現能力を２つのＦＤＤセルまで集成することができる端末に許容することは多重Ａ／ＮとＣＳＩとの同時転送能力を有する場合のみに設定することを考慮したものである。ＣＳＩはドロップし、２つセルに対する多重Ａ／Ｎのみ転送する場合にはチャンネル選択方式のみを使用しても構わないので、ＰＵＣＣＨフォーマット３を該当端末がサポートする必要がないためである。追加的に、該当端末で２つのＣＣ以上の設定を受けた時のみ適用するように制限することもできる。
【０２５８】
３）搬送波集成能力に関わらず許容する方法（ＴＤＤのみに該当、ＦＤＤで１ＣＣの場合、適用が必要でない）
【０２５９】
２．ＰＵＣＣＨフォーマット設定か否かに従う多重ＤＬ ＣＣに対するＡ／Ｎ（及び／又はＳＲ）とＣＳＩとの同時転送設定可否。
１）多重ＤＬ ＣＣに対するＡ／Ｎのみ存在する時、ＰＵＣＣＨフォーマットｘの使用が設定された場合のみに許容する方法：ＰＵＣＣＨフォーマットｘとＰＵＣＣＨフォーマット１ａ／１ｂチャンネル選択がＣＳＩの有無によって選択的に使われて、１つの端末が該当資源を全て割当を受けなければならないことを防ぐためである。
【０２６０】
２）多重ＤＬ ＣＣに対するＡ／Ｎのみ存在する時、ＰＵＣＣＨフォーマット１ａ／１ｂチャンネル選択の使用が設定された場合にも許容する方法。１）とは異なり、資源選択の柔軟性を与えて、より効果的に資源が選択できるようにする。
【０２６１】
一方、ＰＵＣＣＨフォーマット３の具現が可能な端末とＰＵＣＣＨフォーマット３の具現が不可能な端末がある時、ＰＵＣＣＨフォーマット１ｂチャンネル選択が複数セルに対するＡ／Ｎのみのフィードバックのために設定され（即ち、ＣＳＩサブフレームでない場合のＡ／Ｎ転送時、ＰＵＣＣＨフォーマット１ｂチャンネル選択方法使用）、複数セルに対するＡ／Ｎ（ｍＡ／Ｎ）とＣＳＩとを共に転送が設定される場合の動作は次の表のように区分できる。
【０２６２】
【表７】
0005926402.tif 000009
【０２６３】
（Ａ／Ｎ転送方式によりＰＵＣＣＨフォーマット１ａ／１ｂチャンネル選択の設定を受けた場合におけるＡ／ＮとＣＳＩとの同時転送設定）
Ａ／Ｎ転送方式によりＰＵＣＣＨフォーマット１ａ／１ｂチャンネル選択の設定を受けた場合において、端末のチャンネル状態がよくなくてＰＵＣＣＨフォーマット３を設定できない場合がある。このような点で、Ａ／Ｎ転送方式で「ＰＵＣＣＨフォーマット１ａ／１ｂチャンネル選択を設定すること」と「多重セルに対するＡ／Ｎと１つのＤＬ ＣＣまたは複数のＤＬ ＣＣに対する周期的なＣＳＩを多重化してＰＵＣＣＨフォーマット３を通じて同時転送するよう設定すること」を同時に許容しないようにすることができる。即ち、「ＰＵＣＣＨフォーマット３をＡ／Ｎ転送方式に設定」した場合のみに、「多重セルに対するＡ／Ｎと１つのＤＬ ＣＣに、または複数のＤＬ ＣＣに対する周期的なＣＳＩを多重化してＰＵＣＣＨフォーマット３を通じて同時転送するよう設定すること」を許容することができる。
【０２６４】
（Ａ／Ｎビット（または、追加でＳＲビットの和）数が１１ビットを超えてバンドリングする場合、ＣＳＩとの多重化）
ＦＤＤの場合、最大５個セル（ＣＣ）の集成と各セルで２つのコードワードを転送することができる転送モードを考慮する時、Ａ／Ｎのビット数は最大１０ビットとなる。一方、ＴＤＤの場合、複数（Ｍ個）のＤＬサブフレームに対するＡ／Ｎを１つのＵＬサブフレームで転送しなければならないので、Ａ／Ｎのビット数はＭに比例して増加する。したがって、Ａ／ＮとＣＳＩとの同時転送が設定されてＰＵＣＣＨフォーマット３で転送される場合、現在のＰＵＣＣＨフォーマット３が最大にサポートすることができる２２ビットでＡ／Ｎ（ＳＲビットも含むことができる）が占有するビット数が１１ビットを超えることができる。この場合、ＣＳＩ転送時点で発生できるＣＳＩビットを転送できない場合が発生することがある。したがって、ＣＳＩサブフレームでのＣＳＩ転送可能ビット数の以下で送ることができるＣＳＩモードとの組合せのみでＡ／ＮとＣＳＩとの同時転送設定を適用するように制限することができる。例えば、端末で、ＣＳＩサブフレームで送らなければならないＡ／Ｎビット（または、追加でＳＲビットの和）数が１４とすれば、設定可能なＣＳＩモードでのＣＳＩレポーティングタイプのうち、最大ビットが２２−１４＝８ビット以下のＣＳＩレポーティングモードのみをＡ／ＮとＣＳＩとの同時転送設定適用と共に使用することができる。
【０２６５】
（Ａ／Ｎバンドリングの適用とＡ／Ｎ及びＣＳＩとの同時転送の適用）
Ａ／ＮをＰＵＣＣＨフォーマット３で転送する時、端末のチャンネル状態がよくなくてＣＳＩと同時に転送されるＡ／Ｎビット数を減らさなければならない場合が発生することがある。このために、Ａ／Ｎに空間バンドリングを適用（または、これに追加的に時間領域バンドリング適用）を設定することができる。バンドリング設定は、Ａ／ＮとＣＳＩとの同時転送が設定された場合も使用できる。これは、ＣＳＩとの多重化のために減る可用な転送可能Ａ／Ｎビットが減るためである。したがって、「バンドリングの設定」と「Ａ／Ｎ及びＣＳＩの同時転送設定」が同時に設定される場合、ＣＳＩサブフレームでの多重Ａ／Ｎ及びＣＳＩ多重化時にはバンドリングを適用し、Ａ／Ｎのみ転送されるサブフレームの場合はバンドリングを適用しないことがある。これは、Ａ／Ｎ及びＣＳＩの和の転送が可能であるということは、バンドリングされないＡ／Ｎの転送も可能なためである。
【０２６６】
この際、Ａ／Ｎのみ転送時にバンドリングの適用は、ＣＳＩのビット数に基づいた基準値によって決定できる。バンドリング前Ａ／Ｎビット数が基準値に比べて大きい（または、同一な）場合、バンドリングを適用し、小さな（または同一な）場合、バンドリングを適用しないものである。
【０２６７】
図１５は、Ａ／Ｎのみ転送時にバンドリングを適用するか否かに対する基準値決定の例である。
【０２６８】
基地局及び端末の間に４個のＣＣが設定され、ＣＣの優先順位はＣＣ１、ＣＣ０、ＣＣ２の順であると仮定する。ＣＣ３は使用しないと仮定する。
【０２６９】
端末に設定されたＤＬセル（ＤＬ ＣＣ）に各々設定された各ＣＳＩレポーティングモードのうち、１つのサブフレームに転送されるＣＳＩビット数のうち、最大値（即ち、時間／周波数軸での最大値）が基準値になることができる。即ち、Ｍａｘ ＣＳＩ０、Ｍａｘ ＣＳＩ１、Ｍａｘ ＣＳＩ２が各々ＣＣで設定されたＣＳＩレポーティングモードのうちの１つのサブフレームで転送できるＣＳＩビット数のうち、最大値とすれば、これらのうち、最大値が基準値になることができる。
【０２７０】
各セル（ＣＣ）別周期に従うＣＳＩレポーティングモードのうち、最大ビット数を求めた後、これらのうちの最大値にビット数を設定するので、優先順位（Priority）の比較や毎サブフレームでのＣＳＩ数の最大値を算定する必要無しで初期ＣＳＩレポーティングモードを設定する時、定めた１つの値を使用して具現をより容易にすることができる。これをより単純化した方法に、全てのＣＳＩレポーティングモードで１つのサブフレームで転送される最大ＣＳＩビット数（１１ｂｉｔｓ）に固定して転送することも考慮することができる。
【０２７１】
（ＣＳＩサブフレームの定義）
ＬＴＥ−Ａ Ｒｅｌ−１０で周期的ＣＳＩ転送は各セル別に独立的に設定されるように構成されている。一方、端末に設定されるＳＣｅｌｌの一部は活性化（Activation）されるか、または反対に不活性化（Deactivation）できる。不活性化されたセルの場合、データ転送をしなくなるので、該当セルに対するＣＳＩレポーティングは不要になる。したがって、既存ＬＴＥ−Ａ Ｒｅｌ−１０で周期的ＣＳＩがアップリンク制御チャンネルに転送されるサブフレームである「ＣＳＩ（転送）サブフレーム」は活性化されたセルでの周期的ＣＳＩ転送サブフレームの和集合と定義できる。
【０２７２】
一方、ＬＴＥ−Ａ Ｒｅｌ−１１ではＡ／Ｎ（特に、ｍＡ／Ｎ）とＣＳＩとの同時転送が設定されることができ、この際、ＰＵＣＣＨフォーマット３で転送される時、基地局と端末との間のＳＣｅｌｌ活性化／不活性化に対する誤り発生によりチャンネルコーディング方法（channel coding scheme）の模糊性などを防ぐために、ＣＳＩの実際内容は活性化されたセルに対するもののみを選択して転送しても、ＣＳＩフィールドは設定されたセル基準に設定する必要性がある。したがって、このような場合、ＣＳＩ（転送）サブフレームは次の通り新しく定義できる。
【０２７３】
設定されたセルでの周期的ＣＳＩ転送瞬間（サブフレーム）の和集合、ここでＣＳＩフィールドには活性化されたセルに対するＣＳＩレポートが選択されて転送され、該当瞬間に対応する活性化されたセルのＣＳＩレポートが存在しない場合、留保されたＣＳＩフィールドにＣＳＩレポートが転送されないことがある。
【０２７４】
Ａ／ＮとＣＳＩとの同時転送が設定される場合、ＣＳＩ（転送）サブフレームでは、Ａ／Ｎ−onlyサブフレーム（ＣＳＩサブフレームの余集合であるサブフレーム）と異なるＰＵＣＣＨフォーマットが使われるか、または動作が変わることがある。例えば、Ａ／Ｎビットの転送フォーマット（チャンネル選択がＰＵＣＣＨフォーマット３に変更）、正のＳＲ時の動作及びフォーマット（ＰＵＣＣＨフォーマット１がＰＵＣＣＨフォーマット３に変更）、該当ＵＬサブフレームに対応するＤＬサブフレームのＰＤＣＣＨのＡＲＩの検出動作の変化が可能である。
【０２７５】
（Ａ／ＮとＣＳＩとの同時転送モード設定）
既存システム（例えば、LTE-A release 10）では単一ＡＣＫ／ＮＡＣＫ（ｓＡ／Ｎ）とＣＳＩとの同時転送が設定可能であった。この設定は、ＲＲＣメッセージに含まれる「simultaneousAckNackAndCQI」というパラメータを通じて遂行できる。一方、新たなシステム（例えば、LTE-A release 11）では複数のセルに対するＡＣＫ／ＮＡＣＫ、即ち多重ＡＣＫ／ＮＡＣＫ（multiple ACK/NACK：ｍＡ／Ｎ）、及びＣＳＩの同時転送が設定できる。この動作は既存システムでは含まれない設定であり、本発明ではｍＡ／ＮとＣＳＩとの同時転送設定のために新たなパラメータの追加を提案する。この新たなパラメータは新たなシステムに適用されるＲＲＣメッセージに含まれることができ、新たなパラメータの名称を「simultaneousAckNackAndCQI-Format3-R11」と称する。即ち、この新たなパラメータを通じてｍＡ／ＮとＣＳＩとの同時転送設定が遂行できる。「simultaneousAckNackAndCQI-Format3」はＬＴＥ−Ａ Ｒｅｌ−１１に含まれるので、「simultaneousAckNackAndCQI-Format3-r11」または「simultaneousAckNackAndCQI-r11」と表示することもある。
【０２７６】
既存「simultaneousAckNackAndCQI」はＲＲＣメッセージ（即ち、CQI-ReportConfiginformation element）に含まれるパラメータであって、trueまたはfalseの値を有する。このパラメータがTrueの場合、ＡＣＫ／ＮＡＣＫとＣＱＩとの同時転送が許容されることを指示する。
【０２７７】
一方、「simultaneousAckNackAndCQI-Format3」は、やはりＲＲＣメッセージに含まれるパラメータで、trueまたはfalseの値を有する。このパラメータは端末がＡＣＫ／ＮＡＣＫと周期的ＣＱＩとを多重化して特定ＰＵＣＣＨフォーマット、例えばＰＵＣＣＨフォーマット３で転送するか否かを指示することができる。
【０２７８】
このような新たなパラメータを基地局が転送しなければならない理由を図１６を参照して詳細に説明する。
【０２７９】
図１６は、Ｐ１とＰ２設定に従う端末の動作を示す。図１６でＰ１は「simultaneousAckNackAndCQI」であり、Ｐ２は「simultaneousAckNackAndCQI-Format3-R11」である。
【０２８０】
図１６を参照すると、既存Ｐ１パラメータがＴＲＵＥの場合、端末は仮に該当サブフレームに単一Ａ／Ｎのみ存在すれば、ＰＵＣＣＨフォーマット１ａ／１ｂを通じて単一Ａ／Ｎ（１６１）を転送する。仮に、ＣＳＩのみ存在すれば、ＰＵＣＣＨフォーマット２を通じてＣＳＩ（１６２）を転送し、ＣＳＩと単一Ａ／Ｎ（１６３）が存在すれば、ＰＵＣＣＨフォーマット２ａ／２ｂを通じてＣＳＩと単一Ａ／Ｎとを同時転送する。そして、多重Ａ／Ｎ（１６４）とＣＳＩとが衝突する場合にはＣＳＩをドロップし、多重Ａ／ＮをＰＵＣＣＨフォーマット３を通じて転送する。ＰＵＣＣＨフォーマット３はＲＲＣメッセージにより設定された４個の明示的資源のうち、ＰＤＣＣＨのＡＲＩ（ＴＰＣフィールドを借用）により指示される資源で転送される。
【０２８１】
即ち、既存の無線通信システムでは前述した４種類の動作をサポートし、端末はＵＣＩを転送するサブフレームでＡ／Ｎ、ＣＳＩの発生によってその動作を遂行した。
【０２８２】
ところで、新たな無線通信システムでは多重Ａ／Ｎ（ｍＡ／Ｎ）とＣＳＩとが衝突する場合、多重Ａ／ＮとＣＳＩとの同時転送をサポートすることができる。したがって、このような新たな動作をサポートするためにＰ２パラメータが導入される必要がある。もし、新たなパラメータを導入せず、既存のパラメータＰ１で多重Ａ／ＮとＣＳＩとの同時転送も設定するようにすれば、端末の誤動作が発生することがある。例えば、既存のように多重Ａ／ＮとＣＳＩとの同時転送をサポートしない基地局で既存のパラメータＰ１を転送した時、多重Ａ／ＮとＣＳＩとの同時転送をサポートする端末は多重Ａ／ＮとＣＳＩとの同時転送を適用するか否かに対して不確実性が発生するようになる。不確実性が発生する理由は、端末はネットワークに端末がサポートする動作に対する情報を転送する一方、ネットワークは基地局がサポートする動作に対する情報を端末に知らせてくれないためである。
【０２８３】
端末は、Ｐ２パラメータがＴＲＵＥかＦＡＬＳＥかによってその動作が変わることができる。即ち、Ｐ２パラメータがＴＲＵＥの場合には多重Ａ／ＮとＣＳＩ（１６５）とを多重化してＰＵＣＣＨフォーマット３を通じて転送することができる。図１７は、本発明の一実施形態に従う端末の動作方法を示す。
【０２８４】
図１７を参照すると、端末は上位階層信号を通じて（第１組合せの）Ａ／ＮとＣＳＩとの同時転送か否かを指示する第１パラメータ及び（第２組合せの）Ａ／Ｎと周期的ＣＳＩとを多重化してＰＵＣＣＨフォーマット３で転送するか否かを指示する第２パラメータを受信する（Ｓ１０）。
【０２８５】
ＦＤＤで第１組合せのＡ／Ｎは、（Ａ）１つのＰＤＳＣＨがＰＣＣのみに存在し、ＰＤＣＣＨ無しで（ＳＰＳで）スケジュールされた時、または（Ｂ）１つのＰＤＳＣＨがＰＣＣのみに存在し、ＰＤＣＣＨでスケジュールされた時、または（Ｃ）１つのＰＤＣＣＨがＰＣＣのみに存在し、該当ＰＤＣＣＨがＡ／Ｎ応答を必要とした時（ｅｘ．DL SPS releaseを知らせるＰＤＣＣＨ）のＡ／Ｎであり、第２組合せのＡ／Ｎはその以外のＡ／Ｎ組合せでありうる。
【０２８６】
ＴＤＤで、第１組合せのＡ／Ｎは、（Ａ）ＰＤＣＣＨ無しで（ＳＰＳで）スケジュールされた、ＰＤＳＣＨがＰＣＣのみに１つ存在し、Ａ／Ｎ応答を要求するＰＤＣＣＨ（ｅｘ．DL SPS release）がない時、または（Ｂ）ＰＤＣＣＨでスケジュールされた、ＰＤＳＣＨがＰＣＣのみに１つ存在し、該当ＰＤＣＣＨのＤＡＩ＝１の時、または（Ｃ）Ａ／Ｎ応答を要求するＤＡＩ＝１のＰＤＣＣＨ（ｅｘ．DL SPS release）が１つ存在し、ＰＤＳＣＨがない時のＡ／Ｎであり、第２組合せのＡ／Ｎは（Ａ）（Ｂ）（Ｃ）と「Ａ／Ｎ応答を要求するＤＡＩ＝１のＰＤＣＣＨ（ｅｘ．DL SPS release）が存在」または「ＰＤＣＣＨでスケジュールされたＰＤＳＣＨがＰＣＣのみに１つ存在し、該当ＰＤＣＣＨのＤＡＩ＝１」であると共に、「ＰＤＣＣＨ無しで（ＳＰＳで）スケジュールされたＰＤＳＣＨが１つある時」以外のＡ／Ｎ組合せでありうる。
【０２８７】
第２パラメータは、第２組合せのＡＣＫ／ＮＡＣＫが特定ＰＵＣＣＨフォーマット（例えば、ＰＵＣＣＨフォーマット３）で転送されるように設定された場合のみに基地局が転送することもできる。
【０２８８】
第１パラメータは「simultaneousAckNackAndCQI」、第２パラメータは「simultaneousAckNackAndCQI-Format3-r11」でありうる。上位階層信号はＲＲＣメッセージでありうる。
【０２８９】
端末は第１パラメータ及び第２パラメータの値を判断して（Ｓ２０）、第１パラメータ及び第２パラメータの値によってＡ／Ｎと周期的ＣＳＩとを多重化して転送する（Ｓ３０）。
【０２９０】
例えば、第１パラメータ及び第２パラメータに基づいて第１組合せのＡＣＫ／ＮＡＣＫまたは第２組合せのＡＣＫ／ＮＡＣＫをＣＱＩと多重化して第１のＰＵＣＣＨフォーマット（第１組合せのＡＣＫ／ＮＡＣＫ＋周期的ＣＱＩ）または第２のＰＵＣＣＨフォーマット（第２組合せのＡＣＫ／ＮＡＣＫ＋周期的ＣＳｉ）を通じて転送することができる。第１のＰＵＣＣＨフォーマットはＰＵＣＣＨフォーマット２／２ａ／２ｂであり、第２のＰＵＣＣＨフォーマットはＰＵＣＣＨフォーマット３でありうる。
【０２９１】
以下、ＬＴＥ−Ａ Ｒｅｌ−１１で動作する改善された端末がＰ１パラメータ（第１パラメータ）とＰ２パラメータ（第２パラメータ）を受信した場合の動作する方法をより詳細に説明する。
【０２９２】
改善された端末は既存のパラメータ（「simultaneousAckNackAndCQI」）と新たなパラメータ（「simultaneousAckNackAndCQI-R11」）を別途のパラメータに使用することができる。例えば、simultaneousAckNackAndCQI-R11＝true、及びsimultaneousAckNackAndCQI＝trueに設定された場合、ｓＡ／Ｎ転送動作はsimultaneousAckNackAndCQI＝trueの場合と同一に動作することができる。
【０２９３】
そして、simultaneousAckNackAndCQI-R11＝true、及びsimultaneousAckNackAndCQI＝falseに設定された場合、ｍＡ／ＮとＣＳＩをＰＵＣＣＨフォーマット３で転送し、ｓＡ／Ｎ転送動作はsimultaneousAckNackAndCQI＝falseの場合と同一に動作することができる。
【０２９４】
具体的に、ＴＤＤで、「simultaneousAckNackAndCQI」がＴＲＵＥに設定され、端末にＰＵＣＣＨフォーマット１ｂチャンネル選択が設定され、ＳＣｅｌｌのサブフレームｎ−ｋ（ｋ∈Ｋ、前述したＫと同一）で少なくとも１つのＰＤＳＣＨを受信すれば、端末はＣＳＩをドロップし、ＨＡＲＱ−ＡＣＫ（Ａ／Ｎ）を転送する。
【０２９５】
ＴＤＤで、「simultaneousAckNackAndCQI」がＴＲＵＥに設定されるか、または「simultaneousAckNackAndCQI-Format3-r11」はＴＲＵＥに設定され、端末にＰＵＣＣＨフォーマット３が設定された場合に対し、
【０２９６】
｛「simultaneousAckNackAndCQI」がＴＲＵＥに設定され、「simultaneousAckNackAndCQI-Format3-r11」がＦＡＬＳＥに設定されるか｝、または｛「simultaneousAckNackAndCQI」がＴＲＵＥに設定され、「simultaneousAckNackAndCQI-Format3-r11」がＴＲＵＥに設定され、ＡＲＩによってＰＵＣＣＨ資源が決定されない場合｝、端末が
【０２９７】
ｉ）ＰＤＣＣＨ無しでスケジューリングされたＰＤＳＣＨがＰＣＣのみに１つ存在し、Ａ／Ｎ応答を要求するＰＤＣＣＨ（ダウンリンクＳＰＳ解除を指示するＰＤＣＣＨ）がない時、または
【０２９８】
ｉｉ）ＰＤＣＣＨによりスケジューリングされたＰＤＳＣＨがＰＣＣ（プライマリセル）のみに１つ存在し、該当ＰＤＣＣＨのＤＡＩ＝１の場合、またはｉｉｉ）Ａ／Ｎ応答を要求するＤＡＩ＝１のＰＤＣＣＨ（例えば、ダウンリンクＳＰＳ解除ＰＤＣＣＨ、以下、同一）が１つ存在し、該当ＰＤＣＣＨのＤＡＩ＝１の場合、
【０２９９】
端末はＰＵＣＣＨフォーマット２／２ａ／２ｂを用いてＣＳＩ及びＡ／Ｎを転送する。
【０３００】
そうでなくて（else if）仮に、「simultaneousAckNackAndCQI-Format3-r11」はＴＲＵＥに設定され、ＰＵＣＣＨ資源がＡＲＩにより決定（即ち、ＲＲＣ（radio resource control）メッセージにより予め設定された４個の資源のうち、ＰＤＣＣＨ（physical downlink control channel）の特定フィールドにより１つの資源が決定）され、
【０３０１】
Ａ／Ｎ、ＳＲ（あれば）、及びＣＳＩの総ビット数が２２より大きくなかったり、または
【０３０２】
空間バンドリングされたＡ／Ｎ、ＳＲ（あれば）、及びＣＳＩの総ビット数が２２より大きくなければ、
【０３０３】
端末はＡ／Ｎ、ＳＲ（あれば）、及びＣＳＩをＰＵＣＣＨフォーマット３を通じて転送する。
【０３０４】
その以外の場合（else）には、端末はＣＳＩをドロップし、Ａ／Ｎを転送する。
【０３０５】
正のＳＲのみ転送する場合であれば、端末はＰＵＣＣＨフォーマット１を用いて転送する。
【０３０６】
ＦＤＤで、端末に２つ以上のサービングセルが設定され、周期的ＣＳＩレポーティングとＡ／Ｎの転送が同一サブフレームで衝突が発生し、そのサブフレームにＰＵＳＣＨ転送がない場合を前提にする。
【０３０７】
この場合、仮に、「simultaneousAckNackAndCQI」がＴＲＵＥに設定され｛Ａ／Ｎが唯プライマリセルでのＰＤＳＣＨ転送に対応するか、またはダウンリンクＳＰＳ解除を指示するＰＤＣＣＨに対応｝し、
【０３０８】
端末がＰＵＣＣＨフォーマット３に設定されなかったり、または
【０３０９】
端末がＰＵＣＣＨフォーマット３に設定され、「simultaneousAckNackAndCQI-Format3-r11」がＦＡＬＳＥに設定されるか、または
【０３１０】
端末がＰＵＣＣＨフォーマット３に設定され、「simultaneousAckNackAndCQI-Format3-r11」がＴＲＵＥに設定され、ＰＵＣＣＨ資源がＡＲＩにより決定されない場合
【０３１１】
端末はＰＵＣＣＨフォーマット２／２ａ／２ｂを用いてＡ／Ｎ、周期的ＣＳＩを多重化する。
【０３１２】
そうでなくて（else if）、端末がＰＵＣＣＨフォーマット３に設定され、「simultaneousAckNackAndCQI-Format3-r11」がＴＲＵＥに設定され、ＰＵＣＣＨ資源がＡＲＩにより決定され、
【０３１３】
Ａ／Ｎ、ＳＲ（あれば）、及びＣＳＩの総ビット数が２２より大きくなかったり、または
【０３１４】
空間バンドリングされたＡ／Ｎ、ＳＲ（あれば）、及びＣＳＩの総ビット数が２２より大きくなければ、
【０３１５】
端末は周期的ＣＳＩをＡ／Ｎと多重化してＰＵＣＣＨフォーマット３を通じて転送する。
【０３１６】
その以外の場合にはＣＳＩをドロップする。
【０３１７】
次の表は、ＲＲＣメッセージでＰ１、Ｐ２パラメータの設定とその時の端末動作を表で表したものである。即ち、前述した過程を簡略に表せば、次の＜表８＞のように表すことができる。
【０３１８】
【表８】
0005926402.tif 000010
【０３１９】
上述した方法で、ＣＳＩのみを転送するか、またはsＡ／ＮとＣＳＩとを同時に転送する場合に使われるＰＵＣＣＨ資源でＰＵＣＣＨフォーマット２／２ａ／２ｂの代わりにＰＵＣＣＨフォーマット３を使用することは、ＰＵＣＣＨフォーマット３資源がＣＳＩのみの転送のために割り当てられるか否かによって決定できる。
【０３２０】
（ＰＵＣＣＨフォーマット１ｂチャンネル選択をＡ／Ｎフィードバック用に設定した場合、Ａ／ＮとＣＳＩとの同時転送のための資源割当方法）
ＰＵＣＣＨフォーマット３を複数のセルに対するＡ／Ｎのみを転送する用途または複数のセルに対するＡ／ＮとＣＳＩとを同時に転送する用途に使用する場合をＣＡＳＥ１という。
【０３２１】
ＰＵＣＣＨフォーマット１ｂチャンネル選択を複数のセルに対するＡ／Ｎの転送のみのために使用し、ＰＵＣＣＨフォーマット３は複数のセルに対するＡ／ＮとＣＳＩとを共に転送することに使用する場合をＣＡＳＥ２という。ＣＡＳＥ２の場合、ＰＵＣＣＨフォーマット３はＣＳＩ転送サブフレームのみで使用するようになる。したがって、ＰＵＣＣＨフォーマット資源の消耗が減るようになる。
【０３２２】
また、ＣＳＩ転送サブフレームの場合、複数の端末の間に互いに時間差をおいて設定できる。したがって、端末間の資源共有がより容易になることができる。したがって、ＰＵＣＣＨフォーマット３資源はＲＲＣに１つの資源のみを割り当てて、常にその資源を使用することができる。
【０３２３】
ＣＡＳＥ１で、ＲＲＣに複数の資源（４個の資源）を割り当てて、そのうち、ＰＤＣＣＨに含まれたＡＲＩに指示される１つの資源を使用することと区分される。
【０３２４】
ＣＡＳＥ１ではＰＵＣＣＨフォーマット３がＣＳＩサブフレームでない場合にも使用できる。したがって、複数の端末がＰＵＣＣＨ資源を共有してＡＲＩに選択的に指示されることが好ましい。
【０３２５】
ＣＡＳＥ２の場合、ＲＲＣに指定された１つの資源のみを使用しても、ｓＡ／ＮとｍＡ／Ｎ、ＡＲＩ値の受信の有無がＣＳＩが転送されるＰＵＣＣＨフォーマットの選択を指定する用途に使用できる。例えば、ＡＲＩが受信される場合、ｍＡ／ＮはＰＵＣＣＨフォーマット３を使用し、ＡＲＩが受信されなければ、ｓＡ／ＮをＰＵＣＣＨフォーマット２を使用して転送する。
【０３２６】
（Ａ／ＮとＣＳＩとの同時転送時、ＲＲＣ資源シグナリング及び処理方法）
ＣＡＳＥ１を適用する時、ＰＵＣＣＨフォーマット３を複数のセルに対するＡ／Ｎのみのフィードバックのために使用することができる。この場合、複数のＰＵＣＣＨフォーマット３資源をＲＲＣメッセージを通じて設定するようになる。したがって、複数のセルに対するＡ／ＮとＣＳＩとを同時転送するためのＰＵＣＣＨフォーマット３資源設定は不必要である。
【０３２７】
一方、ＣＡＳＥ２を適用する時、ＰＵＣＣＨフォーマット１ｂチャンネル選択を複数のセルに対するＡ／Ｎのみのフィードバックのために使用することができる。この場合、ＰＵＣＣＨフォーマット３資源に対する割当がない。したがって、複数のセルに対するＡ／ＮとＣＳＩとを共に転送するように設定する場合、ＰＵＣＣＨフォーマット３資源割当が必要である。
【０３２８】
Ａ／Ｎのみのフィードバック方法と複数のセルに対するＡ／ＮとＣＳＩとを共に転送する場合のフィードバック方法を独立的に設定する場合、ＣＡＳＥ２のためにＡ／ＮとＣＳＩとを共に転送するためのＰＵＣＣＨフォーマット３資源の割当が必要である。
【０３２９】
ＣＡＳＥ１が設定される時、ＰＵＣＣＨフォーマット３を複数のセルに対するＡ／Ｎのみのフィードバック方法に設定すれば、ＰＵＣＣＨフォーマット３資源割当とＡ／Ｎ、ＣＳＩを共に転送する時に設定されるＰＵＣＣＨフォーマット３資源割当のうち、いずれを使用するか決定する必要がある。
【０３３０】
１）２つの場合の値を同一に設定するか、２）ＣＡＳＥ Ａの資源割当インデックスを常に使用し、他の資源割当インデックスは無視するか、３）ＣＡＳＥ Ｂの資源割当インデックスを常に使用し、他の資源割当インデックスは無視するか、４）最近に変更されたＣＡＳＥ ＡまたはＢの資源割当インデックスを使用することができる。
【０３３１】
（多重ＣＳＩ同時転送モード設定）
既存システムでは端末に設定された複数のダウンリンクセルに対する周期的ＣＳＩが１つのＵＬサブフレームで同時転送できず、選択された１つのＣＳＩのみ転送され、残りはドロップされる。
【０３３２】
しかしながら、将来システムでは多重ＣＳＩ（即ち、複数のセルに対する複数のＣＳｉ）の同時転送を許容することができる。
【０３３３】
多重ＣＳＩの同時転送はＲＲＣパラメータ（例えば、「multiCellCQI-R12」）に設定できる。多重ＣＳＩ転送のためにＰＵＣＣＨフォーマット３を使用する場合の動作を説明する。
【０３３４】
図１８は、端末が３個のＲＲＣパラメータによってＵＣＩを転送する場合を示す。図１８でＰ１は「simultaneousAckNackAndCQI」であり、Ｐ２は「simultaneousAckNackAndCQI-Format3-R11」である。Ｐ３は多重ＣＳＩの同時転送か否かを示す「multiCellCQI-r12」でありうる。図１８で（０）から（５）で表示された動作は、図１６で説明したことがある。図１８で（２．１）はＰ３がＴＲＵＥに設定された場合に多重ＣＳＩのみ発生すれば明示的ＰＵＣＣＨフォーマット３資源を通じて多重ＣＳＩを転送するものである。図１８で（３．１）はＰ３がＴＲＵＥに設定され、多重ＣＳＩ及び単一Ａ／Ｎが衝突する場合、明示的ＰＵＣＣＨフォーマット３資源を通じて多重ＣＳＩ及び単一Ａ／Ｎを転送するものである。
【０３３５】
ＡｌｔＡ：Ｒｅｌ−１１により動作する端末はsimultaneousAckNackAndCQI-R11とmultiCellCQI-R12を別途のパラメータで構成することができる。この際、simultaneousAckNackAndCQI-R11=TRUE、multiCellCQI-R12=FALSEの場合、図１６のように動作する。simultaneousAckNackAndCQI-R11=TRUE、multiCellCQI-R12=TRUEの場合には＜Ａ／ＮとＣＳＩとの同時転送設定時のＵＣＩ組合せに従う転送資源選択＞に記述された多重ＣＳＩ転送のためのＰＵＣＣＨフォーマット３を使用する場合の動作に従う。
【０３３６】
ＡｌｔＢ：Ｒｅｌ−１１により動作する端末はmultiCellCQI-R12=TRUEの場合、図１８の（２．１）、（３．１）動作をし、別途のＲＲＣパラメータsimultaneousAckNackAndCQI-R11無しで（１）、（５）の動作を行う。但し、単一ＣＳＩのみ発生する場合にも、（２．１）、（３．１）をそのまま適用するか、単一ＣＳＩのみ発生する場合に限り、（２）、（３）に取り替えることができる。ここで、simultaneousAckNackAndCQI=TRUEに設定することができる（または、無視する）。multiCellCQI-R12=FALSEの場合、simultaneousAckNackAndCQI=FALSEの時の動作を行う。即ち、（１）、（２）、（０）、（４）の動作を行う。ここで、simultaneousAckNackAndCQI=FALSEに設定することができる（または、無視する）。また、multiCellCQI-R12はsimultaneousAckNackAndCQIに取り替えて使用（同一なRRC fieldにoverrideする）することもできる。
【０３３７】
ＡｌｔＣ：Ｒｅｌ−１１により動作する端末はmultiCellCQI-R12=TRUEの場合、図１８の（２．１）動作をし、別途のＲＲＣパラメータであるsimultaneousAckNackAndCQI-R11無しで（１）、（３）、（５）の動作を行う。但し、単一ＣＳＩのみ発生する場合にも、（２．１）をそのまま適用するか、単一ＣＳＩのみ発生する場合に限り、（２）に取り替えることができる。ここで、simultaneousAckNackAndCQI=TRUEに設定することができる（または、無視する）。multiCellCQI-R12=FALSEの場合、simultaneousAckNackAndCQI=FALSEの時の動作を行う。即ち、（１）、（２）、（０）、（４）の動作を行う。ここで、simultaneousAckNackAndCQI=FALSEに設定することができる（または、無視する）。また、multiCellCQI-R12はsimultaneousAckNackAndCQIに取り替えて使用（同一なRRC fieldにoverrideする）することもできる。
【０３３８】
ＡｌｔＤ：Ｒｅｌ−１１により動作する端末はmultiCellCQI-R12=TRUEの場合、図１８の（２．１）、（３．１）動作をし（単一ＣＳＩのみ発生する場合にも、（２．１）、（３．１）をそのまま適用するか、単一ＣＳＩのみ発生する場合に限り、（２）、（３）に取り替えることができる）multiCellCQI-R12=FALSEの場合（２）、（３）の動作を行う。追加で別途のＲＲＣパラメータであるsimultaneousAckNackAndCQI-R11に従って動作し、この値がＴＲＵＥの場合（１）、（５）の動作をし、ＦＡＬＳＥの場合（１）、（４）の動作を行う。
【０３３９】
ＡｌｔＥ：Ｒｅｌ−１１により動作する端末はmultiCellCQI-R12=TRUEの場合、図１８の（２．１）動作をし（単一ＣＳＩのみ発生する場合にも、（２．１）をそのまま適用するか、単一ＣＳＩのみ発生する場合に限り、（２）に取り替えることができる）multiCellCQI-R12=FALSEの場合、（２）の動作を行う。追加で別途のＲＲＣパラメータであるsimultaneousAckNackAndCQI-R11に従って動作し、この値がＴＲＵＥの場合（１）、（３．１）、または（３）、（５）の動作をし、ＦＡＬＳＥの場合（１）（０）（４）の動作を行う。ここで、（３．１）または（３）の適用選択は多重ＣＳＩ、単一ＣＳＩと関係無しで１つに固定して適用するか、多重ＣＳＩ（３．１）、単一ＣＳＩ（３）によって適用を選択することができる。
【０３４０】
上記ＡｌｔＤ、ＡｌｔＥで、multiCellCQI-R12とsimultaneousAckNackAndCQIはＡｌｔ０〜Ａｌｔ４のようにパラメータをオーバーライディング（overriding）するか、別途のパラメータに設定し、互いに連関性を有するようにするか（または、無視）、独立的なパラメータに設定できる。独立的なパラメータに設定された場合にはmultiCellCQI-R12は（５）−ＴＲＵＥ、（４）−ＦＡＬＳＥの選択に適用され、simultaneousMultiCellCQIは（３）−ＴＲＵＥ、（０）−ＦＡＬＳＥの選択に適用される。
【０３４１】
上述した本発明の記述において、時間領域バンドリングは時間領域で存在するＡＣＫに対する論理的ＡＮＤ演算適用、総ＡＣＫの数を転送するＡＣＫカウンタ、または最初のＤＡＩ値に対応するＡＣＫから連続的なＡＣＫ数のみを転送する連続的（consecutive）ＡＣＫカウンタなども含む。Ａ／ＮとＣＳＩ設定（即ち、Ａ／ＮとＣＳＩとの同時転送設定）は、多重セルＡ／Ｎと「単数のＤＬ ＣＣに対する、または複数のＤＬ ＣＣに対する周期的なＣＳＩ」を多重化してＰＵＣＣＨフォーマット３で同時転送するように設定することを意味する。多重セルＡ／Ｎ（複数のＤＬ ＣＣに対するＡ／Ｎ）とは、ＳＣｅｌｌ ＤＬ ＣＣに対するＡ／Ｎが含まれた場合のＡ／Ｎ（または、ＰＵＣＣＨフォーマット３や明示的ＰＵＣＣＨフォーマット１ａ／１ｂの選択のためのＡＲＩをＰＤＣＣＨから受信した場合のＡ／Ｎ）を意味する。ｓＡ／ＮとＣＳＩ設定とは、多重セルＡ／ＮとＣＳＩとの同時転送が許容されなかったＲｅｌ−１０の単一Ａ／ＮとＣＳＩとの同時転送の設定を意味する。単一Ａ／Ｎとは、ＰＣｅｌｌ ＤＬ ＣＣに対するＡ／Ｎを意味し（または、ＰＵＣＣＨフォーマット３や明示的ＰＵＣＣＨフォーマット１ａ／１ｂの選択のためのＡＲＩをＰＤＣＣＨから受信できなかった場合のＡ／Ｎ）を意味する。
【０３４２】
図１９は、本発明の実施形態が具現される基地局及び端末を示すブロック図である。
【０３４３】
基地局１００は、プロセッサ１１０（processor）、メモリ１２０（memory）及びＲＦ部１３０（Radio Frequency unit）を含む。プロセッサ１１０は提案された機能、過程及び／又は方法を具現する。無線インターフェースプロトコルの階層はプロセッサ１１０により具現できる。プロセッサ１１０は、ＲＲＣメッセージのような上位階層信号を通じて第１パラメータ及び第２パラメータを転送して端末のＵＣＩ転送方法を知らせてくれることができる。メモリ１２０はプロセッサ１１０と連結されて、プロセッサ１１０を駆動するための多様な情報を格納する。ＲＦ部１３０はプロセッサ１１０と連結されて、無線信号を転送及び／又は受信する。
【０３４４】
端末２００は、プロセッサ２１０、メモリ２２０、及びＲＦ部２３０を含む。プロセッサ２１０は提案された機能、過程及び／又は方法を具現する。無線インターフェースプロトコルの階層はプロセッサ２１０により具現できる。プロセッサ２１０は上位階層信号を通じて第１パラメータ及び第２パラメータを受信し、その値によってＡＣＫ／ＮＡＣＫと周期的ＣＳＩとを多重化して特定ＰＵＣＣＨフォーマットを通じて転送することができる。メモリ２２０はプロセッサ２１０と連結されて、プロセッサ２１０を駆動するための多様な情報を格納する。ＲＦ部２３０は、プロセッサ２１０と連結されて、無線信号を転送及び／又は受信する。
【０３４５】
プロセッサ１１０、２１０は、ＡＳＩＣ（application-specific integrated circuit）、他のチップセット、論理回路及び／又はデータ処理装置を含むことができる。メモリ１２０、２２０は、ＲＯＭ（read-only memory）、ＲＡＭ（random access memory）、フラッシュメモリ、メモリカード、格納媒体及び／又は他の格納装置を含むことができる。ＲＦ部１３０、２３０は、無線信号を処理するためのベースバンド回路を含むことができる。実施形態がソフトウェアで具現される時、上述した技法は上述した機能を遂行するモジュール（過程、機能など）で具現できる。モジュールはメモリ１２０、２２０に格納され、プロセッサ１１０、２１０により実行できる。メモリ１２０、２２０は、プロセッサ１１０、２１０の内部または外部にあることができ、よく知られた多様な手段によりプロセッサ１１０、２１０と連結できる。
【図１】
0005926402.tif 000011
【図２】
0005926402.tif 000012
【図３】
0005926402.tif 000013
【図４】
0005926402.tif 000014
【図５】
0005926402.tif 000015
【図６】
0005926402.tif 000016
【図７】
0005926402.tif 000017
【図８】
0005926402.tif 000018
【図９】
0005926402.tif 000019
【図１０】
0005926402.tif 000020
【図１１】
0005926402.tif 000021
【図１２】
0005926402.tif 000022
【図１３】
0005926402.tif 000023
【図１４】
0005926402.tif 000024
【図１５】
0005926402.tif 000025
【図１６】
0005926402.tif 000026
【図１７】
0005926402.tif 000027
【図１８】
0005926402.tif 000028
【図１９】
0005926402.tif 000029